(57)【特許請求の範囲】
【請求項１】
ユーザ装置（ＵＥ）において、前記ＵＥによって受信された第１の搬送波からダウンリンク制御情報（ＤＣＩ）をモニタリングすることと、前記モニタリングすることは、少なくとも１つの第１のＤＣＩ形式に基づく、
前記ＵＥにおいて、搬送波間シグナリングを用いないダウンリンク制御シグナリングと、搬送波間シグナリングを用いたダウンリンク制御シグナリングの間の遷移を示す再設定メッセージを受信することと、
前記ＵＥにおいて、前記再設定メッセージを受信後に、前記少なくとも１つの第１のＤＣＩ形式でＤＣＩのための前記第１の搬送波において受信されるダウンリンク制御チャネル要素の候補の第１の組と、前記少なくとも１つの第１のＤＣＩ形式ではなく、少なくとも１つの第２のＤＣＩ形式でＤＣＩのための第２の搬送波において受信されるダウンリンク制御チャネル要素の候補の第２の組とをモニタリングすることと、を備える、無線通信方法。
【請求項２】
各第２のＤＣＩ形式は、対応する第１のＤＣＩ形式と、搬送波間シグナリングをサポートする少なくとも１つの追加フィールドと、を備える請求項１に記載の方法。
【請求項３】
前記少なくとも１つの追加フィールドは、データ送信がスケジューリングされる搬送波を示す搬送波間指示フィールド（ＣＩＦ）を備える請求項２に記載の方法。
【請求項４】
前記少なくとも１つの第１のＤＣＩ形式は、第１のサイズを有し、前記少なくとも１つの第２のＤＣＩ形式は、前記第１のサイズと異なる第２のサイズを有する請求項１に記載の方法。
【請求項５】
前記再設定メッセージを受信前に前記第１の搬送波でモニタリングすべき第３のＤＣＩ形式を決定することであって、前記第３のＤＣＩ形式は、前記第１の搬送波での前記ＵＥの送信モードと関連付けられることと、
前記ＵＥに送信されたＤＣＩを検出するために前記再設定メッセージを受信前に前記第１の搬送波で前記第３のＤＣＩ形式をモニタリングすることと、
前記再設定メッセージを受信後に前記第１の搬送波でモニタリングすべき第４のＤＣＩ形式を決定することであって、前記第４のＤＣＩ形式は、前記第１の搬送波での前記ＵＥの前記送信モードと関連付けられることと、
前記再設定メッセージを受信後に前記第１の搬送波で前記ＵＥに送信されたＤＣＩを検出するために前記第４のＤＣＩ形式をモニタリングし、前記第３のＤＣＩ形式はモニタリングしないことと、をさらに備える請求項１に記載の方法。
【請求項６】
前記少なくとも１つの第１のＤＣＩ形式及び前記少なくとも１つの第２のＤＣＩ形式を前記モニタリングすることは、前記第１の搬送波で前記ＵＥのために全探索スペースにおいて前記少なくとも１つの第２のＤＣＩ形式をモニタリングすることを備える請求項１に記載の方法。
【請求項７】
前記少なくとも１つの第１のＤＣＩ形式及び前記少なくとも１つの第２のＤＣＩ形式を前記モニタリングすることは、前記第１の搬送波で前記ＵＥの個々のＵＥごとの探索スペースにおいて前記少なくとも１つの第２のＤＣＩ形式をモニタリングし、共通の探索スペースで前記少なくとも１つの第２のＤＣＩ形式はモニタリングしないことと、を備える請求項１に記載の方法。
【請求項８】
前記ダウンリンク制御チャネル要素は、前記ＵＥの物理ダウンリンク制御チャネル（ＰＤＣＣＨ）候補に対応し、前記再設定メッセージを受信後に、前記モニタリングすることは、
前記少なくとも１つの第２のＤＣＩ形式ではなく、前記少なくとも１つの第１のＤＣＩ形式のためのダウンリンク制御チャネル要素の前記第１の組のＰＤＣＣＨ候補を復号することと、をさらに備える請求項１記載の方法。
【請求項９】
前記再設定メッセージを受信後に、前記モニタリングすることは、前記少なくとも１つの第１のＤＣＩ形式、および少なくとも１つの第２のＤＣＩ形式でＤＣＩのための前記第１の搬送波において受信されるダウンリンク制御チャネル要素の候補をモニタリングすることをさらに備え、前記第１の搬送波において受信される前記ダウンリンク制御チャネル要素の候補の第１の部分は、前記第１の搬送波での共通の探索スペースに含まれ、前記第１の搬送波において受信される前記ダウンリンク制御チャネル要素の候補の第２の部分は、前記第１の搬送波での個々のＵＥごとの探索スペースに含まれる請求項１に記載の方法。
【請求項１０】
前記再設定メッセージを受信前に前記第１の搬送波でモニタリングすべき第３のＤＣＩ形式を決定することであって、前記第３のＤＣＩ形式は、前記第１の搬送波での前記ＵＥの送信モードと関連付けられることと、
前記ＵＥに送信されたＤＣＩを検出するために前記再設定メッセージを受信前に前記第１の搬送波で前記第３のＤＣＩ形式をモニタリングすることと、
前記再設定メッセージに基づいて前記ＵＥの再設定のための遷移間隔中に前記第１の搬送波で、前記少なくとも１つの第１のＤＣＩ形式及び前記少なくとも１つの第２のＤＣＩ形式をモニタリングし、前記第３のＤＣＩ形式はモニタリングしないことと、をさらに備える請求項１に記載の方法。
【請求項１１】
前記再設定メッセージが前記ＵＥによって受信される時間に基づいて前記遷移間隔の始まりを決定することをさらに備える請求項１０に記載の方法。
【請求項１２】
前記ＵＥによって再設定完了メッセージを送信することと、
前記再設定完了メッセージに関する確認応答を受信することと、
前記再設定完了メッセージが前記ＵＥによって送信される時間又は前記再設定完了メッセージに関する前記確認応答が前記ＵＥによって受信される時間に基づいて前記遷移間隔の終わりを決定することと、をさらに備える請求項１０に記載の方法。
【請求項１３】
前記遷移間隔の前記終わりを前記決定することは、さらにタイマに基づいて前記遷移間隔の前記終わりを決定することを備え、前記タイマは、前記再設定完了メッセージが送信される前記時間に又は前記再設定完了メッセージに関する前記確認応答が受信される前記時間に始動される請求項１２に記載の方法。
【請求項１４】
前記再設定メッセージを受信前に前記ＵＥによって単一搬送波でデータを受信することと、
前記再設定メッセージを受信後に前記ＵＥによって搬送波間シグナリングを用いて複数の搬送波でデータを受信することと、をさらに備える請求項１に記載の方法。
【請求項１５】
前記再設定メッセージを受信前に前記ＵＥによって搬送波間シグナリングを用いずに複数の搬送波でデータを受信することと、
前記再設定メッセージを受信後に前記ＵＥによって搬送波間シグナリングを用いて前記複数の搬送波でデータを受信することと、をさらに備える請求項１に記載の方法。
【請求項１６】
前記少なくとも１つの第１のＤＣＩ形式は、ダウンリンク許可のためのＤＣＩ形式１Ａ、又はアップリンク許可のためのＤＣＩ形式０、又は両方を含む請求項１に記載の方法。
【請求項１７】
前記少なくとも１つの第２のＤＣＩ形式は、ＤＣＩ形式１Ａと搬送波間指示フィールド（ＣＩＦ）とを備えるＤＣＩ形式１Ａ’、又はＤＣＩ形式０とＣＩＦとを備えるＤＣＩ形式０’、又は両方を含む請求項１記載の方法。
【請求項１８】
ユーザ装置（ＵＥ）において、前記ＵＥによって受信された第１の搬送波からダウンリンク制御情報（ＤＣＩ）をモニタリングするための手段と、前記モニタリングすることは、少なくとも１つの第１のＤＣＩ形式に基づく、
前記ＵＥにおいて、搬送波間シグナリングを用いないダウンリンク制御シグナリングと、搬送波間シグナリングを用いたダウンリンク制御シグナリングの間の遷移を示す再設定メッセージを受信するための手段と、
前記ＵＥにおいて、前記再設定メッセージを受信後に、前記少なくとも１つの第１のＤＣＩ形式でＤＣＩのための前記第１の搬送波において受信されるダウンリンク制御チャネル要素の候補と、前記少なくとも１つの第１のＤＣＩ形式ではなく、少なくとも１つの第２のＤＣＩ形式でＤＣＩのための第２の搬送波において受信されるダウンリンク制御チャネル要素の候補とをモニタリングするための手段と、
を備える、無線通信のための装置。
【請求項１９】
前記少なくとも１つの第１のＤＣＩ形式及び前記少なくとも１つの第２のＤＣＩ形式をモニタリングするための前記手段は、前記第１の搬送波で前記ＵＥのための個々のＵＥごとの探索スペースにおいて前記少なくとも１つの第２のＤＣＩ形式をモニタリングし、しかしながら共通の探索スペースでは前記少なくとも１つの第２のＤＣＩ形式をモニタリングしないための手段を備える請求項１８に記載の装置。
【請求項２０】
前記ダウンリンク制御チャネル要素は、前記ＵＥの物理ダウンリンク制御チャネル（ＰＤＣＣＨ）候補に対応し、前記再設定メッセージを受信後に、モニタリングするための前記手段は、
前記少なくとも１つの第１のＤＣＩ形式のためのダウンリンク制御チャネル要素の前記第１の組のＰＤＣＣＨ候補を復号するための手段をさらに備える請求項１８に記載の装置。
【請求項２１】
少なくとも１つの第１のダウンリンク制御情報（ＤＣＩ）形式に基づいて、ユーザ装置（ＵＥ）によって受信された第１の搬送波からＤＣＩをモニタリングし、
前記ＵＥにおいて、搬送波間シグナリングを用いないダウンリンク制御シグナリングと、搬送波間シグナリングを用いたダウンリンク制御シグナリングの間の遷移を示す再設定メッセージを受信し、
前記ＵＥにおいて、前記再設定メッセージを受信後に、前記少なくとも１つの第１のＤＣＩ形式でＤＣＩのための前記第１の搬送波において受信されるダウンリンク制御チャネル要素の候補と、前記少なくとも１つの第１のＤＣＩ形式ではなく、少なくとも１つの第２のＤＣＩ形式でＤＣＩのための第２の搬送波において受信されるダウンリンク制御チャネル要素の候補とをモニタリングするように構成されたＵＥの少なくとも１つのプロセッサと、を備える、無線通信のための装置。
【請求項２２】
前記少なくとも１つのプロセッサは、前記第１の搬送波で前記ＵＥのために個々のＵＥごとの探索スペースにおいて前記少なくとも１つの第２のＤＣＩ形式をモニタリングし、しかしながら共通の探索スペースにおいては前記少なくとも１つの第２のＤＣＩ形式をモニタリングしないように構成される請求項２１に記載の装置。
【請求項２３】
前記ダウンリンク制御チャネル要素は、前記ＵＥの物理ダウンリンク制御チャネル（ＰＤＣＣＨ）候補に対応し、前記少なくとも１つのプロセッサは、前記少なくとも１つの第１のＤＣＩ形式のためのダウンリンク制御チャネル要素の前記第１の組のＰＤＣＣＨ候補を復号するようにさらに構成される請求項２１に記載の装置。
【請求項２４】
少なくとも１つの第１のダウンリンク制御情報（ＤＣＩ）形式に基づいて、ユーザ装置（ＵＥ）によって受信された第１の搬送波からＤＣＩをモニタリングすることを前記ＵＥの少なくとも１つのコンピュータに行わせるためのコードと、
搬送波間シグナリングを用いないダウンリンク制御シグナリングと、搬送波間シグナリングを用いたダウンリンク制御シグナリングの間の遷移を示す再設定メッセージを前記ＵＥにおいて受信することを前記少なくとも１つのコンピュータに行わせるためのコードと、
前記ＵＥにおいて、前記再設定メッセージを受信後に、前記少なくとも１つの第１のＤＣＩ形式でＤＣＩのための前記第１の搬送波において受信されるダウンリンク制御チャネル要素の候補と、前記少なくとも１つの第１のＤＣＩ形式ではなく、少なくとも１つの第２のＤＣＩ形式でＤＣＩのための第２の搬送波において受信されるダウンリンク制御チャネル要素の候補とをモニタリングすることを前記少なくとも１つのコンピュータに行わせるためのコードと、を備えるコンピュータプログラム。
【請求項２５】
ユーザ装置（ＵＥ）に第１の搬送波でダウンリンク制御情報（ＤＣＩ）を送信することと、前記送信することは、少なくとも１つの第１のＤＣＩ形式に基づく、
搬送波間シグナリングを用いないダウンリンク制御シグナリングと、搬送波間シグナリングを用いたダウンリンク制御シグナリングの間の遷移を示す再設定メッセージを前記ＵＥに送信することと、
前記再設定メッセージを送信後に、前記少なくとも１つの第１のＤＣＩ形式に基づいて前記第１搬送波で、および少なくとも１つの第２のＤＣＩ形式に基づいて少なくとも１つの第２の搬送波でＤＣＩを前記ＵＥに送信することと、を備え、前記送信することは、前記少なくとも１つの第１のＤＣＩ形式に基づいて前記第１の搬送波のダウンリンク制御チャネル要素の第１の組を送信することと、前記少なくとも１つの第１のＤＣＩ形式ではなく、前記少なくとも１つの第２のＤＣＩ形式に基づいて前記第２の搬送波のダウンリンク制御チャネル要素の第２の組を送信することとを含む、無線通信方法。
【請求項２６】
前記再設定メッセージを送信前に前記第１の搬送波で前記ＵＥによってモニタリングされた第３のＤＣＩ形式を決定することであって、前記第３のＤＣＩ形式は、前記第１の搬送波での前記ＵＥの送信モードと関連付けられることと、
前記再設定メッセージを送信前にさらに前記第３のＤＣＩ形式に基づいて前記ＵＥに前記第１の搬送波でＤＣＩを送信することと、
前記再設定メッセージを送信後に前記第１の搬送波で前記ＵＥによってモニタリングされた第４のＤＣＩ形式を決定することであって、前記第４のＤＣＩ形式は、前記第１の搬送波での前記ＵＥの前記送信モードと関連付けられることと、
前記再設定メッセージを送信後に前記第４のＤＣＩ形式にさらに基づき、しかしながら前記第３のＤＣＩ形式には基づかずに前記ＵＥに前記第１の搬送波でＤＣＩを送信することと、をさらに備える請求項２５に記載の方法。
【請求項２７】
前記再設定メッセージを送信後に複数の搬送波の第１の部分組で前記少なくとも１つの第１のＤＣＩ形式及び前記少なくとも１つの第２のＤＣＩ形式に基づいて前記ＵＥにＤＣＩを送信することと、
前記複数の搬送波の第２の部分組での前記少なくとも１つの第１のＤＣＩ形式ではなく、前記少なくとも１つの第２のＤＣＩ形式に基づいて前記ＵＥにＤＣＩを送信することと、をさらに備え、前記第２の部分組は、前記再設定メッセージを送信後に前記複数の搬送波のうちの残りのそれらから成る、請求項２５に記載の方法。
【請求項２８】
前記少なくとも１つの第１のＤＣＩ形式及び前記少なくとも１つの第２のＤＣＩ形式に基づいて前記ＵＥに前記第１の搬送波でＤＣＩを前記送信することは、前記第１の搬送波で個々のＵＥごとの探索スペースにおいて前記少なくとも１つの第２のＤＣＩ形式に基づいて前記ＵＥにＤＣＩを送信し、しかしながら共通の探索スペースにおいては前記少なくとも１つの第２のＤＣＩ形式に基づいて前記ＵＥにＤＣＩを送信しないことを備える請求項２５に記載の方法。
【請求項２９】
前記ダウンリンク制御チャネル要素は、前記ＵＥの物理ダウンリンク制御チャネル（ＰＤＣＣＨ）候補に対応し、前記再設定メッセージを送信後に、前記送信することは、前記少なくとも１つの第１のＤＣＩ形式で、およびまた前記第１の搬送波での前記少なくとも１つの第２のＤＣＩ形式でダウンリンク制御チャネル要素の前記第１の組のＰＤＣＣＨ候補を送ることを備える請求項２５に記載の方法。
【請求項３０】
前記第１の搬送波での前記少なくとも１つの第１のＤＣＩ形式で送信される前記ダウンリンク制御チャネル要素は、前記第１の搬送波での共通の探索スペースに送信され、前記第１の搬送波での前記少なくとも１つの第２のＤＣＩ形式で送信される前記ダウンリンク制御チャネル要素は、前記第１の搬送波での前記ＵＥのための個々のＵＥごとの探索スペースに送信される請求項２９に記載の方法。
【請求項３１】
ＰＤＣＣＨ候補の第１及び第２の組は、前記第１の搬送波での前記ＵＥのための探索スペースに関するアグリゲーションレベルの異なる部分に対応する請求項２９に記載の方法。
【請求項３２】
前記再設定メッセージを送信前に前記ＵＥに単一搬送波でデータを送信することと、
前記再設定メッセージを送信後に前記ＵＥに搬送波間シグナリングを用いて複数の搬送波でデータを送信することと、をさらに備える請求項２５に記載の方法。
【請求項３３】
前記再設定メッセージを送信前に前記ＵＥに搬送波間シグナリングを用いないで複数の搬送波でデータを送信することと、
前記再設定メッセージを送信後に前記ＵＥに搬送波間シグナリングを用いて前記複数の搬送波でデータを送信することと、をさらに備える請求項２５に記載の方法。
【請求項３４】
前記少なくとも１つの第１のＤＣＩ形式は、ダウンリンク許可のためのＤＣＩ形式１Ａ、又はアップリンク許可のためのＤＣＩ形式０、又は両方を含む請求項２５に記載の方法。
【請求項３５】
前記少なくとも１つの第２のＤＣＩ形式は、ＤＣＩ形式１Ａと搬送波間指示フィールド（ＣＩＦ）とを備えるＤＣＩ形式１Ａ’、又はＤＣＩ形式０とＣＩＦとを備えるＤＣＩ形式０’、又は両方を含む請求項３４記載の方法。
【請求項３６】
前記少なくとも１つの第１のＤＣＩ形式のうちの１つに基づいて前記ＵＥへのデータ送信のための第１の許可を生成することと、
前記少なくとも１つの第２のＤＣＩ形式のうちの１つに基づいて前記ＵＥへの前記データ送信のための第２の許可を生成することと、
前記ＵＥに前記第１及び第２の許可を送信することと、をさらに備える請求項２５に記載の方法。
【請求項３７】
少なくとも１つの第１のＤＣＩ形式に基づいてユーザ装置（ＵＥ）に第１の搬送波でダウンリンク制御情報（ＤＣＩ）を送信するための手段と、
搬送波間シグナリングを用いないダウンリンク制御シグナリングと、搬送波間シグナリングを用いたダウンリンク制御シグナリングの間の遷移を示す再設定メッセージを前記ＵＥに送信するための手段と、
前記再設定メッセージを送信後に、前記少なくとも１つの第１のＤＣＩ形式に基づいて前記第１搬送波で、および少なくとも１つの第２のＤＣＩ形式に基づいて少なくとも１つの第２の搬送波でＤＣＩを前記ＵＥに送信するための手段と、を備え、
前記送信することは、前記少なくとも１つの第１のＤＣＩ形式に基づいて前記第１の搬送波のダウンリンク制御チャネル要素の第１の組を送信することと、前記少なくとも１つの第１のＤＣＩ形式ではなく、前記少なくとも１つの第２のＤＣＩ形式に基づいて前記第２の搬送波のダウンリンク制御チャネル要素の第２の組を送信することとを含む、無線通信のための装置。
【請求項３８】
前記少なくとも１つの第１のＤＣＩ形式及び前記少なくとも１つの第２のＤＣＩ形式に基づいて前記ＵＥに前記第１の搬送波でＤＣＩを送信するための前記手段は、前記第１の搬送波で個々のＵＥごとの探索スペースにおいて前記少なくとも１つの第２のＤＣＩ形式に基づいて前記ＵＥにＤＣＩを送信し、しかしながら共通の探索スペースにおいては前記少なくとも１つの第２のＤＣＩ形式に基づいて前記ＵＥにＤＣＩを送信しないための手段を備える請求項３７に記載の装置。
【請求項３９】
前記ダウンリンク制御チャネル要素は、前記ＵＥの物理ダウンリンク制御チャネル（ＰＤＣＣＨ）候補であり、前記再設定メッセージを送信後に、前記送信するための手段は、前記少なくとも１つの第１のＤＣＩ形式で、およびまた前記第１搬送波での前記少なくとも１つの第２のＤＣＩ形式でダウンリンク制御チャネル要素の前記第１の組のＰＤＣＣＨ候補を送信するための手段、
を備える請求項３７に記載の装置。
【請求項４０】
少なくとも１つの第１のＤＣＩ形式に基づいてユーザ装置（ＵＥ）に第１の搬送波でダウンリンク制御情報（ＤＣＩ）を送信し、
搬送波間シグナリングを用いないダウンリンク制御シグナリングと、搬送波間シグナリングを用いたダウンリンク制御シグナリングの間の遷移を示す再設定メッセージを前記ＵＥに送信し、
前記再設定メッセージを送信後に、前記少なくとも１つの第１のＤＣＩ形式に基づいて前記第１の搬送波で、および少なくとも１つの第２のＤＣＩ形式に基づいて少なくとも１つの第２の搬送波でＤＣＩを前記ＵＥに送信するように構成された少なくとも１つのプロセッサと、前記送信することは、前記少なくとも１つの第１のＤＣＩ形式に基づいて前記第１の搬送波のダウンリンク制御チャネル要素の第１の組を送信することと、前記少なくとも１つの第１のＤＣＩ形式ではなく、前記少なくとも１つの第２のＤＣＩ形式に基づいて前記第２の搬送波のダウンリンク制御チャネル要素の第２の組を送信することとを含む、
前記少なくとも１つのプロセッサに結合されたメモリと、を備える、無線通信のための装置。
【請求項４１】
少なくとも１つの第１のＤＣＩ形式に基づいてユーザ装置（ＵＥ）に第１の搬送波でダウンリンク制御情報（ＤＣＩ）を送信することを少なくとも１つのコンピュータに行わせるためのコードと、
搬送波間シグナリングを用いないダウンリンク制御シグナリングと、搬送波間シグナリングを用いたダウンリンク制御シグナリングの間の遷移を示す再設定メッセージを前記ＵＥに送信することを前記少なくとも１つのコンピュータに行わせるためのコードと、
前記再設定メッセージを送信後に、前記少なくとも１つの第１のＤＣＩ形式に基づいて前記第１の搬送波で、および少なくとも１つの第２のＤＣＩ形式に基づいて少なくとも１つの第２の搬送波でＤＣＩを前記ＵＥに送信することを前記少なくとも１つのコンピュータに行わせるためのコードと、を備え、
前記送信することは、前記少なくとも１つの第１のＤＣＩ形式に基づいて前記第１の搬送波のダウンリンク制御チャネル要素の第１の組を送信することと、前記少なくとも１つの第１のＤＣＩ形式ではなく、前記少なくとも１つの第２のＤＣＩ形式に基づいて前記第２の搬送波のダウンリンク制御チャネル要素の第２の組を送信することとを含む、コンピュータプログラム。
【請求項４２】
前記少なくとも１つの第１のＤＣＩ形式および前記少なくとも１つの第２のＤＣＩ形式は、サイズが異なる請求項１の方法。
【請求項４３】
前記少なくとも１つの第１のＤＣＩ形式および前記少なくとも１つの第２のＤＣＩ形式は、サイズが異なる請求項１８の装置。
【請求項４４】
前記少なくとも１つの第１のＤＣＩ形式および前記少なくとも１つの第２のＤＣＩ形式は、サイズが異なる請求項２１の装置。
【請求項４５】
前記少なくとも１つの第１のＤＣＩ形式および前記少なくとも１つの第２のＤＣＩ形式は、サイズが異なる請求項２５の方法。
【請求項４６】
前記少なくとも１つの第１のＤＣＩ形式および前記少なくとも１つの第２のＤＣＩ形式は、サイズが異なる請求項３７の装置。
【請求項４７】
前記少なくとも１つの第１のＤＣＩ形式および前記少なくとも１つの第２のＤＣＩ形式は、サイズが異なる請求項４０の装置。
【発明の詳細な説明】
【技術分野】
【０００１】
本出願は、“FALLBACK OPERATION IN CROSS-CARRIER SIGNALING BASED MULTICARRIER OPERATION IN LTE-A”（ＬＴＥ−Ａにおける搬送波間シグナリングに基づく多搬送波動作におけるフォールバック動作）という題名を有する米国仮特許出願第６１／２９０，７２４号（出願日：２００９年１２月２９日）、及び、“METHOD AND APPARATUS THAT FACILITATES CROSS-CARRIER SIGNALING BASED MULTICARRIER OPERATION IN LONG TERM EVOLUTION SYSTEMS”（ロングタームエボリューションシステムにおける搬送波間シグナリングに基づく多搬送波動作を容易にする方法及び装置）という題名を有する米国仮特許出願第６１／３１３，６４７号（出願日：２０１０年３月１２日）の利益を主張するものであり、それらの両方ともこれの譲受人に譲渡され、引用によってここに組み入れられている。
【０００２】
本開示は、概して、通信に関するものである。本開示は、より具体的には、無線通信システムにおける通信をサポートするための技法に関するものである。
【背景技術】
【０００３】
様々な通信コンテンツ、例えば、音声、映像、パケットデータ、メッセージング、ブロードキャスト、等、を提供することを目的として無線通信システムが広範囲にわたって配備されている。これらの無線システムは、利用可能なシステムリソースを共有することによって複数のユーザをサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムと、を含む。
【０００４】
無線通信システムは、幾つかのユーザ装置（ＵＥ）のための通信をサポートすることが可能な幾つかの基地局を含むことができる。ＵＥは、ダウンリンク及びアップリンクを介して基地局と通信することができる。ダウンリンク（又は順方向リンク）は、基地局からＵＥへの通信リンクを意味し、アップリンク（又は逆方向リンク）は、ＵＥから基地局への通信リンクを意味する。
【発明の概要】
【０００５】
多搬送波通信システムにおけるフォールバック（ｆａｌｌｂａｃｋ）動作をサポートするための技法が開示される。ＵＥは、多搬送波動作のための複数の搬送波で動作することができる。多搬送波動作のために搬送波間シグナリング（ｃｒｏｓｓ−ｃａｒｒｉｅｒ  ｓｉｇｎａｌｉｎｇ）を用いることができ、及び、１つ搬送波でのデータ送信をサポートするために他の搬送波で制御情報を送信することを含むことができる。フォールバック動作は、（例えば、ＵＥが単一搬送波又は多搬送波のいずれで動作しているかにかかわらず）ＵＥの動作モードが不明であるときでさえもＵＥに制御情報を信頼できる形で送信する能力を意味する。
【０００６】
一設計においては、ＵＥは、第１の搬送波でモニタリングすべき少なくとも１つの第１のダウンリンク制御情報（ＤＣＩ）形式を決定することができる。ＵＥは、ＵＥに送信されたＤＣＩを検出するために第１の搬送波で少なくとも１つの第１のＤＣＩ形式をモニタリングすることができる。ＵＥは、搬送波間シグナリングを用いてのＵＥによる複数の搬送波での通信に関連する再設定メッセージ（ｒｅｃｏｎｆｉｇｕｒａｔｉｏｎ  ｍｅｓｓａｇｅ）を受信することができる。ＵＥは、再設定メッセージに基づいて第１の搬送波でモニタリングすべき少なくとも１つの第２のＤＣＩ形式を決定することができる。ＵＥは、ＵＥに送信されたＤＣＩを検出するために再設定メッセージを受信後に第１の搬送波で少なくとも１つの第１のＤＣＩ形式及び少なくとも１つの第２のＤＣＩ形式をモニタリングすることができる。フォールバック動作は、再設定メッセージの受信前後に少なくとも１つの第１のＤＣＩ形式をＵＥにモニタリングさせることによってサポートされる。ＤＣＩは、ＵＥの動作モードに関する不確実性が存在するときでも少なくとも１つの第１のＤＣＩ形式に基づいてＵＥに信頼できる形で送信することができる。
【０００７】
一設計においては、基地局は、第１の搬送波でＵＥによってモニタリングされた少なくとも１つの第１のＤＣＩ形式を決定することができる。基地局は、少なくとも１つの第１のＤＣＩ形式に基づいてＵＥに第１の搬送波でＤＣＩを送信することができる。基地局は、搬送波間シグナリングを用いてのＵＥによる複数の搬送波での通信に関連する再設定メッセージを送信することができる。基地局は、再設定メッセージに応答して第１の搬送波でＵＥによってモニタリングされた少なくとも１つの第２のＤＣＩ形式を決定することができる。基地局は、再設定メッセージを送信後に少なくとも１つの第１のＤＣＩ形式及び少なくとも１つの第２のＤＣＩ形式に基づいてＵＥに第１の搬送波でＤＣＩを送信することができる。
【０００８】
一設計においては、各々の第２のＤＣＩ形式は、対応する第１のＤＣＩ形式と搬送波間シグナリングをサポートするための少なくとも１つの追加フィールドとを備えることができる。少なくとも１つの追加フィールドは、以下において説明されるように、搬送波間インジケータフィールド（ＣＩＦ）を含むことができる。少なくとも１つの第１のＤＣＩ形式は、第１のサイズを有することができ、少なくとも１つの第２のＤＣＩ形式は、第１のサイズと異なる第２のサイズを有することができる。
【０００９】
フォールバック動作は、ＵＥに送信されたＤＣＩを検出するためにＵＥによって行われるブラインド復号（ｂｌｉｎｄ  ｄｅｃｏｄｅ）の数を制限するために様々な形で制約することができる。一設計においては、フォールバック動作は、幾つかのＤＣＩ形式に関してサポートすることができ、しかしながらその他のＤＣＩ形式に関してはサポートすることができない。他の設計においては、フォールバック動作は、１つ以上の搬送波に関してサポートすることができ、しかしながらその他の搬送波に関してはサポートすることができない。さらに他の設計においては、フォールバック動作は、ＵＥの１つ以上の探索スペース（ｓｅａｒｃｈ  ｓｐａｃｅ）に関してサポートすることができ、しかしながらその他の探索スペースに関してはサポートすることができない。さらに他の設計においては、フォールバック動作は、ＵＥのための一定の物理ダウンリンク制御チャネル（ＰＤＣＣＨ）候補に関してサポートすることができ、しかしながらその他のＰＤＣＣＨ候補に関してはサポートすることができない。フォールバック動作は、その他の方法で制約することもできる。本開示の様々な態様及び特徴が以下においてさらに詳細に説明される。
【図面の簡単な説明】
【００１０】
【図１】典型的な無線通信システムを示した図である。
【図２】典型的なフレーム構造を示した図である。
【図３Ａ】単一搬送波動作の例を示した図である。
【図３Ｂ】搬送波間シグナリングを用いない多搬送波動作の例である。
【図３Ｃ】搬送波間シグナリングを用いる多搬送波動作の例である。
【図４】２つの典型的なＤＣＩ形式を示した図である。
【図５Ａ】異なるダウンリンク送信モードのための再設定を示した図である。
【図５Ｂ】搬送波間シグナリングを用いる多搬送波動作のための再設定を示した図である。
【図６】新たな搬送波が追加されたときの典型的なフォールバック動作を示した図である。
【図７】搬送波間シグナリングがイネーブルにされるときの典型的なフォールバック動作を示した図である。
【図８】再設定のための遷移間隔中における典型的なフォールバック動作を示した図である。
【図９】基地局における典型的なメッセージ生成器のブロック図を示した図である。
【図１０】ＵＥにおける典型的なメッセージ検出器のブロック図を示した図である。
【図１１】ＵＥによってＤＣＩを受信するための典型的なプロセスを示した図である。
【図１２】基地局によってＤＣＩを送信するための典型的なプロセスを示した図である。
【図１３】基地局及びＵＥの典型的なブロック図を示した図である。
【発明を実施するための形態】
【００１１】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ及びその他のシステム、に関して用いることができる。用語 “システム”及び“ネットワーク”は、しばしば互換可能な形で用いられる。ＣＤＭＡシステムは、ユニバーサル地上無線アクセス（ＵＴＲＡ）、ｃｄｍａ２０００、等の無線技術を実装することができる。ＵＴＲＡは、広帯域−ＣＤＭＡ（ＷＣＤＭＡ）と、ＣＤＭＡのその他の変形と、を含む。ｃｄｍａ２０００は、ＩＳ−２０００規格、ＩＳ−９５規格及びＩＳ−８５６規格を網羅する。ＴＤＭＡシステムは、グローバル移動体通信システム（ＧＳＭ（登録商標））、等の無線技術を実装することができる。ＯＦＤＭＡシステムは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）及びＬＴＥ−Ａｄｖａｎｃｅｄ（ＬＴＥ−Ａ）は、Ｅ−ＵＴＲＡを使用するＵＭＴＳの新しいリリース版であり、ダウンリンクではＯＦＤＭＡ、アップリンクではＳＣ−ＦＤＭＡを採用する。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織からの文書において記述される。ｃｄｍａ２０００及びＵＭＢは、“第３世代パートナーシッププロジェクト２”（３ＧＰＰ２）という名称の組織からの文書において記述される。ここにおいて説明される技法は、上述されるシステム及び無線技術、及びその他のシステム及び無線技術のために用いることができる。明確化のため、これらの技法の幾つかの態様は、ＬＴＥに関して以下において説明されており、以下の説明の多くの部分においてはＬＴＥ用語が用いられる。
【００１２】
図１は、ＬＴＥシステム又は何らかのその他のシステムであることができる無線通信システム１００を示す。システム１００は、幾つかのエボルブドノードＢ（ｅＮＢ）１１０と、その他のネットワークエンティティと、を含むことができる。ｅＮＢは、ＵＥと通信するエンティティであることができ及び基地局、ノードＢ、アクセスポイント、等と呼ばれることもある。各ｅＮＢ１１０は、特定の地理上のエリアのための通信カバレッジを提供することができ及びカバレッジエリア内に位置するＵＥのための通信をサポートすることができる。システム容量を向上させるために、ｅＮＢの全体的なカバレッジエリアを複数（例えば、３つ）のより小さいエリアに分割することができる。各々のより小さいエリアは、各々のｅＮＢサブシステムによってサービスを提供することができる。３ＧＰＰにおいては、用語“セル”は、カバレッジエリアにサービスを提供するｅＮＢ及び／又はｅＮＢサブシステムの最小のカバレッジエリアを意味することができる。
【００１３】
ネットワークコントローラ１３０は、一組のｅＮＢに結合することができ及びこれらのｅＮＢのための調整及び制御を提供することができる。ネットワークコントローラ１３０は、モビリティマネージメントエンティティ（ＭＭＥ）及び／又は何らかのその他のネットワークエンティティを備えることができる。
【００１４】
ＵＥ１２０は、システム全体に分散させることができ、及び各ＵＥは静止型又は移動型であることができる。ＵＥは、移動局、端末、アクセス端末、加入者ユニット、局、等と呼ばれることもある。ＵＥは、携帯電話、パーソナルデジタルアシスタント（ＰＤＡ）、無線モデム、無線通信デバイス、ハンドヘルドデバイス、ラップトップコンピュータ、コードレスフォン、ワイヤレスローカルループ（ＷＬＬ）局、スマートフォン、ネットブック、スマートブック、等であることができる。
【００１５】
図２は、ＬＴＥにおける周波数分割多重（ＦＤＤ）のためのフレーム構造２００を示す。ＦＤＤに関しては、ダウンリンク及びアップリンクには別個の周波数チャネルを割り当てることができる。ダウンリンク及びアップリンクの各々のための送信タイムラインは、無線フレーム単位に分割することができる。各無線フレームは、予め決定された継続時間（例えば、１０ミリ秒（ｍｓ））を有することができ及び０乃至９のインデックスを有する１０のサブフレームに分割することができる。各サブフレームは、２つのスロットを含むことができる。従って、各無線フレームは、０乃至１９のインデックスを有する２０のスロットを含むことができる。各スロットは、（図２に示される）通常のサイクリックプリフィックスに関しては７つのシンボル期間又は拡張されたサイクリックプリフィックスに関しては６つのシンボル期間を含むことができる。
【００１６】
ダウンリンクのための各サブフレームは、制御領域とデータ領域とを含むことができ、それらは、図２に示されるように時分割多重化（ＴＤＭ）することができる。制御領域は、サブフレームの最初のＭのシンボル期間を含むことができ、ここで、Ｍは、１、２、３又は４に等しいことができ及びサブフレームごとに変わることができる。制御領域は、ＵＥのための制御情報を搬送することができる。データ領域は、サブフレームの残りのシンボル期間を含むことができ及びＵＥのためのデータ及び／又はその他の情報を搬送することができる。
【００１７】
アップリンクのための各サブフレームは、制御領域とデータ領域とを含むことができ、それらは、周波数分割多重化（ＦＤＭ）することができる（示されていない）。制御領域は、システム帯域幅の２つの縁部において形成することができ及び設定可能なサイズを有することができ、それは、ＵＥによってアップリンクで送信する制御情報の量に基づいて選択することができる。データ領域は、制御領域によって網羅されていない残りの周波数を含むことができる。
【００１８】
ｅＮＢは、ダウンリンクのためのサブフレーム（又はダウンリンクサブフレーム）の制御領域において物理ダウンリンク制御チャネル（ＰＤＣＣＨ）でダウンリンク制御情報（ＤＣＩ）を送信することができる。ＤＣＩは、ダウンリンク（ＤＬ）許可（ｇｒａｎｔ）、アップリンク（ＵＬ）許可、電力制御情報、等を備えることができる。ｅＮＢは、ダウンリンクサブフレームのデータ領域において物理ダウンリンク共有チャネル（ＰＤＳＣＨ）でデータを送信することができる。ＰＤＳＣＨは、ダウンリンクでのデータ送信のためにスケジューリングされたＵＥのためのデータ及び／又はその他の情報を搬送することができる。
【００１９】
ＵＥは、アップリンクのためのサブフレーム（又はアップリンクサブフレーム）の制御領域で割り当てられたリソースブロックにおいて物理アップリンク制御チャネル（ＰＵＣＣＨ）でアップリンク制御情報（ＵＣＩ）を送信することができる。ＵＣＩは、ダウンリンクで送信されたデータ送信に関する確認応答（ＡＣＫ）情報、チャネル品質インジケータ（ＣＱＩ）情報、スケジューリング要求、等を含むことができる。ＵＥは、アップリンクサブフレームのデータ領域で割り当てられたリソースブロックにおいて物理アップリンク共有チャネル（ＰＵＳＣＨ）でデータのみ、又はデータとＵＣＩの両方を送信することができる。アップリンク送信は、サブフレームの両方のスロットにまたがることができ及び周波数ホッピングすることができる。
【００２０】
システムは、ダウンリンク及びアップリンクの各々に関して単一搬送波又は多搬送波での動作をサポートすることができる。搬送波は、通信のために用いられるある範囲の周波数を意味することができ及び幾つかの特性と関連付けることができる。例えば、各搬送波は、通信のために１つ以上のＵＥに割り当てることができる。搬送波は、成分搬送波、セル、周波数、ＲＦチャネル、等と呼ばれることもある。複数の搬送波での動作は、キャリアアグリゲーション（ｃａｒｒｉｅｒ  ａｇｇｒｅｇａｔｉｏｎ）又は多搬送波動作と呼ぶこともできる。ＵＥは、ｅＮＢとの通信のためにダウンリンクのための１つ以上の搬送波（又はダウンリンク搬送波）及びアップリンクのための１つ以上の搬送波（又はアップリンク搬送波）で動作することができる。ｅＮＢは、ＵＥに対して１つ以上のダウンリンク搬送波でデータ及びＤＣＩを送信することができる。ＵＥは、ｅＮＢに対して１つ以上のアップリンク搬送波でデータ及びＵＣＩを送信することができる。
【００２１】
図３Ａは、ＵＥによる単一搬送波動作の例を示す。例示されるように、ＵＥは、ｅＮＢとの通信のために単一のダウンリンク（ＤＬ）搬送波及び単一のアップリンク（ＵＬ）搬送波で動作することができる。ｅＮＢは、ダウンリンクサブフレームの制御領域においてＰＤＣＣＨでＵＥのためのＤＬ許可及び／又はＵＬ許可を送信することができる。ＤＬ許可は、ｅＮＢからＵＥへのダウンリンクデータ送信のための様々なパラメータを備えることができる。ＵＬは、ＵＥからｅＮＢへのアップリンクデータ送信のための様々なパラメータを備えることができる。ｅＮＢは、ダウンリンクサブフレームのデータ領域においてＰＤＳＣＨでＵＥにダウンリンクデータ送信を送信することができる。ＵＥは、アップリンクサブフレームのデータ領域においてＰＵＳＣＨでｅＮＢにアップリンクデータ送信を送信することができる。
【００２２】
図３Ｂは、ＵＥによる搬送波間シグナリングを用いない多搬送波動作の例を示す。ここでは、ＵＥは、ｅＮＢとの通信のために‘Ｋ’のＤＬ搬送波及び‘Ｌ’のＵＬ搬送波で動作することができ、ここで、Ｋは、Ｌに等しいことができ又は等しくなくともよい。各ＵＬ搬送波は、１つのＤＬ搬送波と対になることができる。所定のＤＬ搬送波でのデータ送信をサポートするための制御情報は、そのＤＬ搬送波及び／又は関連付けられたＵＬ搬送波で送信することができる。同様に、所定のＵＬ搬送波でのデータ送信をサポートするための制御情報は、そのＵＬ搬送波及び／又は関連付けられたＤＬ搬送波で送信することができる。
【００２３】
搬送波間シグナリングは、１つの搬送波でのデータ送信をサポートするために他の搬送波で制御情報を送信することを意味する。例えば、ＤＬ許可は、１つのＤＬ搬送波でのデータ送信をサポートするために他のＤＬ搬送波で送信することができる。搬送波間シグナリングの一設計では、１つの搬送波は、ダウンリンク及びアップリンクの各々に関する主搬送波として指定することができ、
残りの搬送波は、拡張搬送波と呼ぶことができる。主搬送波は、アンカー搬送波、ベース搬送波、等と呼ばれることもある。拡張搬送波は、正規搬送波、二次搬送波、等と呼ばれることもある。ＵＥは、ダウンリンク及びアップリンクの各々に関して主搬送波及びゼロ又はそれよりも多い拡張搬送波で動作するように構成することができる。
【００２４】
図３Ｃは、ＵＥによる搬送波間シグナリングを用いての多搬送波動作の例を示す。図３Ｃに示される例では、ＤＬ搬送波１がＵＥのための主ＤＬ搬送波であることができ、ＵＬ搬送波１がＵＥのための主ＵＬ搬送波であることができる。ｅＮＢは、すべてのＤＬ及びＵＬ搬送波でのデータ送信をサポートするために主ＤＬ搬送波でＵＥにＤＣＩ（例えば、ＤＬ及びＵＬ許可）を送信することができる。ＵＥは、すべてのＤＬ及びＵＬ搬送波でのデータ送信をサポートするために主ＵＬ搬送波でｅＮＢにＵＣＩを送信することができる。
【００２５】
図３Ｃは、主ＤＬ及びＵＬ搬送波を用いた多搬送波動作のための搬送波間シグナリングをサポートする一設計を示す。搬送波間シグナリングは、その他の方法でサポートすることもできる。概して、搬送波間シグナリングは、１つの搬送波でのデータ送信をサポートするために他の搬送波で制御情報を送信することができるあらゆる方法でサポートすることができる。本開示の明確化のため、及び制限なしに、以下の説明の多くは、図３Ｃに示される設計を仮定し、搬送波間シグナリングをサポートするためにＤＣＩは主ＤＬ搬送波で送信され、ＵＣＩは主ＵＬ搬送波で送信される。
【００２６】
システム１００は、ダウンリンクでＤＣＩを送信するために用いることができる幾つかのＤＣＩ形式をサポートすることができる。表１は、システムによってサポートすることができるＤＣＩ形式の組を記載する。ＤＣＩ形式０は、アップリンクでのデータ送信のためのＵＬ許可を送信するために用いることができる。ＤＣＩ形式１、１Ａ、１Ｂ、１Ｃ及び１Ｄは、ダウンリンクでの１つのコードワードのデータ送信のためのＤＬ許可を送信するために用いることができる。コードワードは、転送ブロック又はパケットに対応することができる。ＤＣＩ形式２、２Ａ及び２Ｂは、多入力多出力（ＭＩＭＯ）のためのダウンリンクでの２つのコードワードのデータ送信のためのＤＬ許可を送信するために用いることができる。ＤＣＩ形式３及び３Ａは、送信電力制御（ＴＰＣ）情報をＵＥに送信するために用いることができる。ＤＣＩ形式０、１Ａ、３及び３Ａは、同じサイズを有する。ＤＣＩ形式１、１Ｂ、１Ｃ、１Ｄ、２、２Ａ及び２Ｂは、異なるサイズを有することができる。
【表１】
0005591950.tif 000002
【００２７】
表１は、ＬＴＥ  Ｒｅｌｅａｓｅ９によってサポートされるＤＣＩ形式を記載する。例えば、将来のＬＴＥリリースではその他のＤＣＩ形式もサポート可能である。さらに、搬送波間シグナリングをサポートするために一組のＤＣ形式を定義することができる。一設計では、搬送波間シグナリングをサポートするＤＣＩ形式は、（ｉ）搬送波間シグナリングをサポートしない対応するＤＣＩ形式（例えば、表１に示されるＤＣＩ形式のうちの１つ）の全フィールドと、（ｉｉ）搬送波間シグナリングをサポートするための１つ以上の追加フィールドと、を含むことができる。一設計では、搬送波間シグナリングは、データ送信がスケジューリングされる搬送波を示す搬送波間インジケータフィールド（ＣＩＦ）を介してサポートすることができる。ＣＩＦは、次の特性のうちの１つ以上を有することができる。
【００２８】
・例えば、上位層シグナリングを介して、ＣＩＦの存在を半静的にイネーブルにすることができる。
【００２９】
・ＣＩＦの存在に関する設定は、個々のＵＥを対象とすることができる。
【００３０】
・ＣＩＦ（設定される場合）は、固定されたサイズのフィールド（例えば、最大で８つの搬送波をサポートするための３ビット）であることができる。
【００３１】
・ＣＩＦ（設定される場合）の場所は、サイズにかかわらず全ＤＣＩ形式に関して固定することができる。
【００３２】
・搬送波間許可は、ＵＥのためのＤＣＩ形式が同じサイズ又は異なるサイズを有するときの両方において設定することができる。
【００３３】
・ＵＥによるブラインド復号の合計数の上限が存在することができる。
【００３４】
図４は、搬送波間シグナリングをサポートしないＤＣＩ形式Ｘを示す。ＤＣＩ形式Ｘは、表１に示されるＤＣＩ形式のうちのいずれか１つに対応することができ及び異なるタイプの情報を送信するために用いられる幾つかのフィールドを含むことができる。例えば、ＤＣＩ形式Ｘは、許可のために用いることができ及びデータ送信、変調及びコーディング方式（ＭＣＳ）、プリコーディング情報、ＨＡＲＱ情報、ＴＰＣコマンド、及び／又はその他情報のために割り当てられたリソースを搬送するためのフィールドを含むことができる。
【００３５】
図４は、搬送波間シグナリングをサポートするＤＣＩ形式Ｘ’の設計も示す。この設計では、ＤＣＩ形式Ｘ’は、ＤＣＩ形式Ｘの全フィールドと、ＣＩＦのための追加フィールドと、を含む。追加のＣＩＦに起因して、ＤＣＩ形式Ｘ’は、対応するＤＣＩ形式Ｘのサイズと異なるそれを有する。
【００３６】
概して、ＣＩＦは、搬送波間シグナリングをサポートするＤＣＩ形式を形成するために表１に示されるＤＣＩ形式のうちのいずれか１つに追加することができる。例えば、ＣＩＦは、ＤＣＩ形式１Ａ’、０’及び２’をそれぞれ形成するためにＤＣＩ形式１Ａ、０及び２に加えることができる。明確化のため、ここにおける説明では、搬送波間シグナリングをサポートしないＤＣＩ形式は、プライム（ｐｒｉｍｅ）（例えば、ＤＣＩ形式Ｘであり、ここで、Ｘは、あらゆる適切な指定文字であることができる）なしで表すことができる。搬送波間シグナリングをサポートするＤＣＩ形式は、プライム（例えば、ＤＣＩ形式Ｘ’）を用いて表すことができる。ＤＣＩ形式Ｘ’は、ＤＣＩ形式Ｘの全フィールド、ＣＩＦ及び／又は搬送波間シグナリングをサポートするためのその他のフィールドを含むことができる。
【００３７】
ＬＴＥ  Ｒｅｌｅａｓｅ８（Ｒｅｌ−８）及びＬＴＥ  Ｒｅｌｅａｓｅ９（Ｒｅｌ−９）では、ＵＥは、８つのダウンリンク送信モード１乃至８のうちの１つを用いて無線リソース制御（ＲＲＣ）によって半静的に設定することができる。各ダウンリンク送信モードに関して、ＵＥは、２つのＤＣＩ形式、すなわち、ＤＣＩ形式１Ａ及びモード依存ＤＣＩ形式、をモニタリングすることができる。例えば、ＵＥは、閉ループ空間多重化のためのダウンリンク送信モード４のためのＤＣＩ形式１Ａ及びＤＣＩ形式２をモニタリングすることができる。すべてのダウンリンク送信モードに関して、ＵＥは、アップリンクスケジューリングのために用いられるＤＣＩ形式０もモニタリングすることができる。
【００３８】
ｅＮＢは、ＵＥによってサポートされるＤＣＩ形式のうちのいずれか１つを用いてＰＤＣＣＨでＵＥにＤＣＩを送信することができる。ｅＮＢは、１、２、４又は８のアグリゲーションレベルにそれぞれ対応する１つ、２つ、４つ又は８つの制御チャネル要素（ＣＣＥ）においてＰＤＣＣＨでＤＣＩを送信することもできる。各ＣＣＥは、９つのリソース要素を含むことができ、各リソース要素は、１つのシンボル期間において１つの副搬送波を網羅する。ＤＣＩのための異なる保護レベルのために異なるアグリゲーションレベルを用いることができる。ｅＮＢは、一定のＣＣＥのみでＵＥにＤＣＩを送信することができ、それらは、ＵＥにとっての共通の探索スペース及び個々のＵＥごとの探索スペースに所在することができる。共通の探索スペースは、全ＵＥに適用可能であり、個々のＵＥごとの探索スペースは、ＵＥ専用であることができる。ＵＥは、共通の探索スペース及び個々のＵＥごとの探索スペースにおいて幾つかのＰＤＣＣＨ候補を有することができる。各ＰＤＣＣＨ候補は、ＤＣＩをＵＥに送信することができる特定のＣＣＥの組に対応することができる。表２は、共通の及び個々のＵＥごとの探索スペース内で異なるアグリゲーションレベルに関してＵＥによってモニタリングされるＰＤＣＣＨ候補を記載する。
【表２】
0005591950.tif 000003
【００３９】
各ＰＤＣＣＨ候補に関して、ＵＥは、ＵＥによってサポートされる各ＤＣＩサイズのためのブラインド復号を行うことができる。ＤＣＩサイズは、送信すべき情報ビット数を決定し、それは、コードレートに影響を与える。ブラインド復号の合計数は、ＰＤＣＣＨ候補数及びＵＥによってサポートされるＤＣＩサイズ数に依存することができる。ブラインド復号は、復号候補と呼ばれることもある。
【００４０】
ＤＣＩ形式１Ａ及び０は、同じサイズを有する。従って、あらゆるダウンリンク送信モードに関して、ＵＥへのＤＣＩのユニキャスト送信のために２つのＤＣＩサイズのみが存在することができる。すなわち、ＤＣＩ形式１Ａ及び０のための１つのＤＣＩサイズ、及び、モード依存ＤＣＩ形式のための他のＤＣＩサイズである。ＵＥは、２つのＤＣＩサイズの各々に関して表２の２２のＰＤＣＣＨ候補のための２２のブラインド復号、又は合計４４のブラインド復号を行うことができる。
【００４１】
ＤＣＩ形式１Ａ及び０は、全ダウンリンク送信モード及び搬送波設定のために用いることができる。これは、ｅＮＢがＵＥのＲＲＣ設定及び再設定にかかわらずいずれかのサブフレームでＵＥにＤＣＩを送信するために用いることができる各リンク（ダウンリンク及びアップリンク）のために１つのＤＣＩ形式をｅＮＢが有するのを可能にする。この設計は、以下において説明されるように、ＵＥがＲＲＣ再設定下にあるときに潜在的な非常に積極的な継続時間に対処することができる。
【００４２】
図５Ａは、異なるダウンリンク送信モードのためのＲＲＣ再設定の例を示す。時間Ｔ１よりも前では、ＵＥは、ダウンリンク送信モードＵに基づいて動作し、ＤＣＩ形式１Ａ及び０及びモード依存ＤＣＩ形式Ｗをサポートする。時間Ｔ１では、モードＵからモードＶにＵＥのダウンリンク送信モードを変更するために（例えば、ｅＮＢからＵＥにＲＲＣ接続再設定メッセージを送信することによって）ＲＲＣ再設定が行われる。時間Ｔ２では、ＵＥは、ダウンリンク送信モードＶに基づいて動作することができ及びＤＣＩ形式１Ａ及び０及びモード依存ＤＣＩ形式Ｚをサポートすることができる。（ＬＴＥでは、新たなダウンリンク送信モードＶが有効になる“行動時間”は存在しないため）時間Ｔ１から時間Ｔ２への遷移間隔は、未指定であることができる。ｅＮＢは、ＲＲＣ再設定継続時間中にＵＥの状態及びＵＥによってサポートされる特定のダウンリンク送信モードを知らないことができる。しかしながら、ｅＮＢは、ＤＣＩ形式１Ａ及び０を用いてＵＥにＤＣＩを送信することができ、それらは、ＲＲＣ再設定前及び後の両方においてＵＥによってサポートされる。従って、全ダウンリンク送信モードのためにＤＣＩ形式１Ａ及び０を使用することは、遷移期間中における割り込まれないｅＮＢ通信を可能にすることができる。
【００４３】
図５Ｂは、搬送波間シグナリングを用いた多搬送波動作のためのＲＲＣ再設定の例を示す。Ｔ１よりも前では、ＵＥは、１つ以上の多搬送波で動作し、搬送波間シグナリングをサポートせず、それは、“非ＣＩＦ”モードと呼ぶことができる。ＵＥは、時間Ｔ１よりも前には、ＤＣＩ形式１Ａ及び０及びモード依存ＤＣＩ形式Ｗをサポートする。時間Ｔ１では、搬送波間シグナリングをサポートするためにＵＥの動作を変更するためにＲＲＣ再設定が行われ、それは、“ＣＩＦ”モードと呼ぶことができる。時間Ｔ２では、ＵＥは、搬送波間シグナリングを用いて動作し、ＤＣＩ形式１Ａ’及び０’及びモード依存ＤＣＩ形式Ｗ’をサポートする。
【００４４】
図５Ｂに示されるように、ＵＥが非ＣＩＦからＣＩＦに（又はその逆に）半静的に再設定されるときには、ｅＮＢがＵＥに信頼できる形でＤＣＩを送信するのを可能にするための１つのリンクごとの共通のＤＣＩ形式は存在しない（ＲＲＣ再設定前後）。これは、結果としてＵＥにおいて紛失したＤＣＩが生じる可能性があり、それは性能を劣化させることがある。例えば、（図５Ｂに示されていない）遷移間隔Ｔ１−Ｔ２内の時間Ｔ３では、ｅＮＢは、ＵＥがＣＩＦモードに切り替わっており、ＤＣＩ形式１Ａ’に基づいてＤＬ許可を送信できるとみなすことができる。しかしながら、ＵＥは、時間Ｔ３で依然として非ＣＩＦモードで動作することができ及びＤＣＩ形式１Ａに基づいてブラインド復号を行うことができる。この状況では、ＵＥは、ｅＮＢによって送信されたＤＬ許可を見逃す可能性があり及びＤＬ許可に基づいて送信されたダウンリンクデータ送信を見逃す可能性もある。
【００４５】
一態様においては、フォールバック動作は、ｅＮＢがＵＥにＤＣＩを信頼できる形で送信できるように多搬送波動作での搬送波間シグナリングに関してサポートすることができる。フォールバック動作は、例えば搬送波間シグナリングをイネーブル又はディスエーブルにするために、ＲＲＣ再設定前後に各リンクのための少なくとも１つの共通するＤＣＩ形式を維持することによってサポートすることができる。
【００４６】
一設計では、搬送波間シグナリングに関して次を仮定することができる。
【００４７】
・ＵＥは、そのＵＥが２つ以上の搬送波を用いて設定される場合のみに搬送波間シグナリング（又はＣＩＦ）を用いて設定することができる。
【００４８】
・ＵＥのためのＣＩＦ及び搬送波数の再設定は半静的である。
【００４９】
搬送波間シグナリングをサポートするＤＣＩ形式（例えば、ＣＩＦを有するＤＣＩ）及び搬送波間シグナリングをサポートしないＤＣＩ形式（例えば、ＣＩＦを有さないＤＣＩ形式）は、異なるサイズを有することができる。従って、ＵＥは、各ＰＤＣＣＨ候補に関して、ＣＩＦを有する及び有さない２つのＤＣＩ形式のために２つのブラインド復号を行うことができる。ＵＥによって行うブラインド復号の合計数は、搬送波間シグナリングのためのフォールバック動作をサポートするために実質的に増加することができる。
【００５０】
一設計では、フォールバック動作は、全搬送波の部分組のみでサポートすることができる。フォールバック動作がサポートされる搬送波は、フォールバック搬送波と呼ぶことができる。フォールバック動作がサポートされない搬送波は、非フォールバック搬送波と呼ぶことができる。各フォールバック搬送波に関して、ＵＥは、ＣＩＦを有する及び有さないＤＣＩ形式のためのブラインド復号を行うことができる。各非フォールバック搬送波に関して、ＵＥは、ＣＩＦを有するＤＣＩ形式のみに関してブラインド復号を行うことができる。これは、非フォールバック搬送波のためのブラインド復号の数を減少させることができる。
【００５１】
図６は、新たな搬送波が追加されて搬送波間シグナリングがイネーブルにされたときのフォールバック動作をサポートする設計を示す。図６に示される例において、時間Ｔ１よりも前では、ＵＥは、搬送波１で動作し、ＤＣＩ形式１Ａ及び０及びモード依存ＤＣＩ形式Ｗをサポートする。時間Ｔ１では、他の搬送波２を追加するために及びＵＥのための搬送波間シグナリングを起動させるためにＲＲＣ再設定が行われる。時間Ｔ２では、ＵＥは、搬送波間シグナリングを用いて搬送波１及び２で動作する。
【００５２】
第１の設計では、ＵＥは、図６に示されるように、搬送波１でのフォールバック動作をサポートし、搬送波２でのフォールバックはサポートしない。この設計においては、時間Ｔ２ではＵＥは次をサポートすることができる。
【００５３】
・搬送波１−ＤＣＩ形式１Ａ’及び０’（ＣＩＦを有する）、ＤＣＩ形式１Ａ及び０（ＣＩＦを有さない）、及びＤＣＩ形式Ｗ’（ＣＩＦを有し、搬送波１でＵＥによってサポートされるダウンリンク送信モードが対象である）
・搬送波２−ＤＣＩ形式１Ａ’及び０’（ＣＩＦを有する）及びＤＣＩ形式Ｚ’（ＣＩＦを有し、搬送波２でＵＥによってサポートされるダウンリンク送信モードが対象である）
第２の設計では、ＵＥは、両方の搬送波１及び２でフォールバック動作をサポートすることができる。この設計においては、時間Ｔ２ではＵＥは次をサポートすることができる。
【００５４】
・搬送波１−ＤＣＩ形式１Ａ’及び０’、１Ａ及び０、及びＷ’
・搬送波２−ＤＣＩ形式１Ａ’及び０’、１Ａ及び０、及びＺ’
図７は、搬送波間シグナリングがイネーブルにされたときにフォールバック動作をサポートする設計を示す。図７に示される例では、時間Ｔ１よりも前では、ＵＥは、搬送波間シグナリングを用いない２つの搬送波１及び２で動作する。ＵＥは、搬送波１でＤＣＩ形式１Ａ及び０及びモード依存ＤＣＩ形式Ｗをサポートし、搬送波２でＤＣＩ形式１Ａ及び０及びモード依存ＤＣＩ形式Ｚをさらにサポートする。時間Ｔ１では、ＵＥのための搬送波間シグナリングを起動させるためにＲＲＣ再設定が行われる。時間Ｔ２では、ＵＥは、搬送波間シグナリングを用いて搬送波１及び２で動作する。
【００５５】
第１の設計では、ＵＥは、図７に示されるように、搬送波１でのフォールバック動作をサポートし、搬送波２でのフォールバックはサポートしない。この設計においては、時間Ｔ２では、ＵＥは次をサポートすることができる。
【００５６】
・搬送波１−ＤＣＩ形式１Ａ’及び０’、１Ａ及び０、及びＷ’
・搬送波２−ＤＣＩ形式１Ａ’及び０’、及びＺ’
第２の設計では、ＵＥは、両方の搬送波１及び２でのフォールバック動作をサポートする。従って、ＵＥは、搬送波２ではＤＣＩ形式１Ａ’及び０’、１Ａ及び０、及びＺ’をサポートすることができる。
【００５７】
概して、フォールバック動作は、あらゆる数の搬送波でサポートすることができ、それらは、ＵＥに関して半静的に再設定することができる。例えば、フォールバック動作は、主搬送波のみ、主搬送波と１つ以上のその他の搬送波、又は何らかのその他の搬送波又は搬送波の組み合わせでサポートすることができる。フォールバック搬送波は、明示で又は暗黙に設定することができ、従って、ｅＮＢ及びＵＥの両方がフォールバック搬送波を認識している。一設計では、ダウンリンク及びアップリンクでのデータ送信を制御するためにＤＣＩを信頼できる形で送信できるように、ＤＣＩ形式１及び０の両方を各々のフォールバック搬送波でサポートすることができる。
【００５８】
一設計では、フォールバック動作は、ＵＥによるブラインド復号数を制限するために全ＰＤＣＣＨ候補の部分組のみに関してサポートすることができる。ＵＥは、各ＰＤＣＣＨ候補のための３つのＤＣＩサイズに関する３つのブラインド復号、すなわち、ＤＣＩ形式１Ａ及び０のための第１のブラインド復号、モード依存ＤＣＩ形式のための第２のブイランド復号、及びＤＣＩ形式１Ａ’及び０’のための第３のブラインド復号、を行うことができる。従って、ＵＥは、１つの搬送波のための３つのＤＣＩサイズに関して合計６６のブラインド復号を行うことができる。ブラインド復号合計数は、ＵＥにＤＣＩを送信することができる方法に対して一定の制約を設けることによって減少させることができる。ＲＲＣ再設定のためのフォールバック動作は頻繁でないイベントであることがあるため、これらの制約は、性能に対して最小限の影響しか与えないはずである。ブラインド復号数を減少させるための様々な設計が以下において説明される。
【００５９】
ブラインド復号数を減少させる第１の設計では、ＣＩＦを有する又は有さないＤＣＩ形式を異なる探索スペースでサポートすることができる。各探索スペースは、ＣＩＦを有するＤＣＩ形式又はＣＩＦを有さないＤＣＩ形式のいずれもサポートすることができる。一設計では、表３に示されるように、ＣＩＦを有さないＤＣＩ形式（例えば、ＤＣＩ形式１Ａ及び０）は、共通の探索スペースでサポートすることができ、ＣＩＦを有するＤＣＩ形式（例えば、ＤＣＩ形式１Ａ’、０’及びＷ’）は、個々のＵＥごとの探索スペースでサポートすることができる。ＤＣＩは、ＤＣＩ形式１Ａ、０、１Ａ’、０’又はＷ’を用いて共通の又は個々のＵＥごとの探索スペースで特定のＵＥへのユニキャストとして送信することができる。ユニキャストされたＤＣＩは、個々のＵＥごとの無線ネットワーク一時識別子（Ｒａｄｉｏ  Ｎｅｔｗｏｒｋ  Ｔｅｍｐｏｒａｒｙ  Ｉｄｅｎｔｉｆｉｅｒ（ＲＮＴＩ）、例えば、セルＲＮＴＩ（Ｃ−ＲＮＴＩ）、半永続的スケジューリング（Ｓｅｍｉ−Ｐｅｒｓｉｓｔｅｎｔ  Ｓｃｈｅｄｕｌｉｎｇ（ＳＰＳ）Ｃ−ＲＮＴＩ、一時的Ｃ−ＲＮＴＩ、等を用いてスクランブリングすることができる。ＤＣＩは、ＤＣＩ形式１Ａ又は１Ｃを用いて共通の探索スペースで全ＵＥへのブロードキャストとして送信することができる。ブロードキャストされたＤＣＩは、全ＵＥに知られているＲＮＴＩ、         例えば、システム情報ＲＮＴＩ（ＳＩ−ＲＮＴＩ）、ページングＲＮＴＩ（Ｐ−ＲＮＴＩ）、ランダムアクセスＲＮＴＩ（ＲＡ−ＲＮＴＩ）、等、を用いてスクランブリングすることができる。ＴＰＣ情報のためのＤＣＩは、共通の探索スペースでＤＣＩ形式３又は３Ａを用いて送信することができ及びＵＥによって知られているＴＰＣ−ＰＵＣＣＨ  ＲＮＴＩ又はＴＰＣ−ＰＵＳＣＨ  ＲＮＴＩを用いてスクランブリングすることができる。
【表３】
0005591950.tif 000004
【００６０】
表３に示される設計を用いた場合、ＵＥは、共通の探索スペースのための２つのＤＣＩサイズ及び個々のＵＥごとの探索スペースのための２つのＤＣＩサイズを有することができる。共通の探索スペースのための２つのＤＣＩサイズは、ＤＣＩ形式１Ａ、０、３、及び３Ａのための１つのＤＣＩサイズと、ＤＣＩ形式１Ｃのための他のＤＣＩサイズと、を含むことができる。個々のＵＥごとの探索スペースのための２つのＤＣＩサイズは、ＤＣＩ形式１Ａ’及び０’のための１つのＤＣＩサイズと、ＤＣＩ形式Ｗ’のための他のＤＣＩサイズと、を含むことができる。表３に示される設計に関して、ＵＥは、搬送波間シグナリングを用いるフォールバック動作をサポートするために、このフォールバック動作をサポートしない他のＵＥと同じ数のバインド（ｂｉｎｄ）復号（例えば、４４）を行うことができる。
【００６１】
表３内の設計は、（ｉ）ＤＣＩが送信されるのと同じＤＬ搬送波でのダウンリンクデータ送信及び（ｉｉ）このＤＬ搬送波と関連付けられたＵＬ搬送波でのアップリンクデータ送信のためにＵＥをスケジューリングすることに対して影響を有さないであろう。これらの場合は、ＣＩＦは必要ない。ＤＬ及びＵＬ許可は、（ｉ）ＤＣＩ形式１Ａ及び０を用いて共通の探索スペースで又は（ｉｉ）ＤＣＩ形式１Ａ’及び０’を用いて個々のＵＥごとの探索スペースでＵＥに送信することができる。ＵＥは、ダウンリンク及びアップリンクでのデータ送信のために共通の探索スペース及び個々のＵＥごとの探索スペースの両方でスケジューリングすることができる。
【００６２】
探索スペースに関する制約に起因して、表３に示される設計は、（ｉ）ＤＣＩが送信されるＤＬ搬送波と異なるＤＬ搬送波でのダウンリンクデータ送信及び（ｉｉ）ＤＣＩが送信されるＤＬ搬送波と関連付けられていないＵＬ搬送波でのアップリンクデータ送信のためにＵＥをスケジューリングすることに対してある程度の影響を有することがある。これらの場合は、データ送信がスケジューリングされるＤＬ又はＵＬ搬送波を示すためにＣＩＦフィールドを用いることができる。ＤＬ及びＵＬ許可は、ＤＣＩ形式１Ａ’及び０’用いて個々のＵＥごとの探索スペースでＵＥに送信することができ、共通探索スペースでは送信できない。
【００６３】
ブラインド復号数を減少させる第２の設計では、ＣＩＦを有する及び有さないＤＣＩ形式を探索スペースの部分組でサポートすることができる。一設計では、ＣＩＦを有さないＤＣＩ形式（例えば、ＤＣＩ形式１Ａ及び０）及びＣＩＦを有する幾つかのＤＣＩ形式（例えば、ＤＣＩ形式１Ａ’及び０’）は、表４に示されるように、共通の探索スペースでサポートすることができる。ＣＩＦを有するＤＣＩ形式（例えば、ＤＣＩ形式１Ａ’、０’及びＷ’）は、同じく表４に示されるように、個々のＵＥごとの探索スペースでサポートすることができる。
【表４】
0005591950.tif 000005
【００６４】
表４に示される設計は、表３に示される設計によって設定される幾つかのスケジューリング上の制約を緩和することができる。特に、ＤＬ及びＵＬ許可は、ＤＣＩ形式１Ａ’及び０’用いて共通の探索スペース及び個々のＵＥごとの探索スペースの両方でＵＥに送信することができる。ＵＥは、ＣＩＦを有する及び有さないＤＣＩ形式をサポートするために共通の探索スペースでより多くのブラインド復号を行うことができる。
【００６５】
表４に示される設計に関して、同じＤＬ搬送波でのデータ送信のためにＵＥをスケジューリングするためにＤＬ搬送波でＤＬ許可を送信するために、ＣＩＦが‘０００’（同じＤＬ搬送波に対する搬送波間アドレッシング用）に設定されたＤＣＩ形式１Ａ及びＤＣＩ形式１Ａ’の両方を共通の探索スペースで用いることができる。ＣＩＦが‘０００’に設定されたＤＣＩ形式１Ａ及びＤＣＩ形式１Ａ’の両方をサポートすることは重複している。従って、ＣＩＦが‘０００’に設定されたＤＣＩ形式１Ａ’及びＤＣＩ形式０’は、共通の探索スペースでは回避することができ、ＤＣＩ形式１Ａ及び０を代わりに用いることができる。
【００６６】
ブラインド復号数を減少させる第３の設計では、フォールバック動作は一定の搬送波ではサポートすることができない。一設計では、表５に示されるように、ＣＩＦを有するＤＣＩ形式（例えば、ＤＣＩ形式１Ａ’、０’及びＷ’）は、非フォールバック搬送波に関しては共通の探索スペース及び個々のＵＥごとの探索スペースでサポートすることができる。ＤＣＩは、ＤＣＩ形式１Ａ’、０’又はＷ’を用いて共通の又は個々のＵＥごとの探索スペースで特定のＵＥへのユニキャストとして送信することができる。ＤＣＩは、ＤＣＩ形式１Ａ又は１Ｃを用いて共通の探索スペースで全ＵＥへのブロードキャストとして送信することができる。ＴＰＣ情報のためのＤＣＩは、共通の探索スペースでＤＣＩ形式３又は３Ａを用いて送信することができる。
【表５】
0005591950.tif 000006
【００６７】
ブラインド復号数を減少させる第４の設計では、ＣＩＦを有する及び有さないＤＣＩ形式は、異なる組のＰＤＣＣＨ候補のためにサポートすることができる。表２に示されるように、共通の探索スペースには４及び８の２つのアグリゲーションレベルが存在し、アグリゲーションレベル４は、４つのＰＤＣＣＨ候補を含み、アグリゲーションレベル８は、２つのＰＤＣＣＨ候補を含む。同じく表２に示されるように、個々のＵＥごとの探索スペースには１、２、４及び８の４つのアグリゲーションレベルが存在し、アグリゲーションレベル１は、６つのＰＤＣＣＨ候補を含み、アグリゲーションレベル２は、６つのＰＤＣＣＨ候補を含み、アグリゲーションレベル４は、２つのＰＤＣＣＨ候補を含み、アグリゲーションレベル８は、２つのＰＤＣＣＨ候補を含む。一設計では、所定の探索スペース内での所定のアグリゲーションレベルに関して、幾つかのＰＤＣＣＨ候補に関してはＣＩＦを有さないＤＣＩ形式を許容することができ、残りのＰＤＣＣＨ候補に関してはＣＩＦを有するＤＣＩ形式を許容することができる。一例として、共通の探索スペースにおけるアグリゲーションレベル４に関しては、最初の２つのＰＤＣＣＨ候補に関してはＤＣＩ形式１Ａ及び０を許容することができ、最後の２つのＰＤＣＣＨ候補に関してはＤＣＩ形式１Ａ’及び０’を許容することができる。他の例として、共通の探索スペースにおけるアグリゲーションレベル８に関しては、最初のＰＤＣＣＨ候補に関してはＤＣＩ形式１Ａ及び０を許容することができ、他方のＰＤＣＣＨ候補に関してはＤＣＩ形式１Ａ’及び０’を許容することができる。
【００６８】
概して、各探索スペースにおける各アグリゲーションレベルは、ＣＩＦを有さないＤＣＩ形式のみ、又はＣＩＦを有するＤＣＩ形式のみ、又は両方をサポートすることができる。所定の探索スペースにおける所定のアグリゲーションレベルがＣＩＦを有する及び有さないＤＣＩ形式をサポートする場合は、あらゆる数のＰＤＣＣＨ候補がＣＩＦを有さない（ｗｉｔｈｏｕｔ）ＤＣＩ形式をサポートすることができ、あらゆる数のＰＤＣＣＨ候補がＣＩＦを有さない（ｗｉｔｈｏｕｔ）ＤＣＩ形式をサポートすることができる。さらに、所定のＰＤＣＣＨ候補は、ＣＩＦを有さないＤＣＩ形式のみ、又はＣＩＦを有するＤＣＩ形式のみ、又は両方をサポートすることができる。共通の探索スペース及び個々のＵＥごとの探索スペースにおけるアグリゲーションレベルは、様々な方法で定義することができる。例えば、共通の探索スペースにおける各アグリゲーションレベルは、ＣＩＦを有する及び有さないＤＣＩ形式をサポートすることができ、他方、個々のＵＥごとの探索スペースにおける各アグリゲーションレベルは、ＣＩＦを有するＤＣＩ形式のみをサポートすることができる。
【００６９】
ブラインド復号数を減少させるその他の設計を実装することも可能である。ブラインド復号数を減少させるためにこれらの設計のうちのいずれか１つ又はいずれかの組み合わせを実装することができる。
【００７０】
概して、ブラインド復号数を減少させるために、以下のようにフォールバック動作をサポートすることができる。
【００７１】
・全搬送波の代わりに１つ以上の指定された搬送波のみで
・搬送波における共通の探索スペース又は個々のＵＥごとの探索スペースのみで
・１つ以上の指定されたアグリゲーションレベルのみで、及び／又は
・ＰＤＣＣＨ候補の部分組に関してのみ
一設計では、ＰＤＣＣＨ候補の第１の組は、ＣＩＦを有さないＤＣＩ形式をサポートすることができ、ＰＤＣＣＨ候補の第２の組は、ＣＩＦを有するＤＣＩ形式をサポートすることができる。一設計では、第１の組は、第２の組と重なり合わないことができ、従って、各ＰＤＣＣＨ候補は、１つの組のみに含めることができる。他の設計では、第１の組は、第２の組と重なり合うことができ、従って、１つ以上のＰＤＣＣＨ候補を両方の組に含めることができる。
【００７２】
ＰＤＣＣＨ候補の第１及び第２の組は、様々な方法で定義することができる。一設計では、例えば表３に示されるように、第１の組は、１つの探索スペースのＰＤＣＣＨ候補を含めることができ、第２の組は、他の探索スペースのＰＤＣＣＨ候補を含めることができる。他の設計では、第１の組は、幾つかのアグリゲーションレベルのためのＰＤＣＣＨ候補を含めることができ、第２の組は、その他のアグリゲーションレベルのためのＰＤＣＣＨ候補を含めることができる。さらに他の設計では、第１の組は、所定のアグリゲーションレベル又は所定の探索スペースにおける幾つかのＰＤＣＣＨ候補を含めることができ、第２の組は、アグリゲーションレベル又は探索スペースにおけるその他のＰＤＣＣＨ候補を含めることができる。第１及び第２の組は、ＵＥに関する希望されるブラインド復号合計数及び希望されるスケジューリング上の柔軟性を得るために、探索スペース、アグリゲーションレベル、等に基づいてその他の方法で定義することもできる。
【００７３】
他の態様では、ブラインド復号数を減少させるために、ＵＥが非ＣＩＦモードからＣＩＦモードへの又はその逆の再設定中にモード依存ＤＣＩ形式をモニタリングするのをスキップする遷移モニタリングモードを定義することができる。遷移間隔中には、ＵＥは、フォールバック動作をサポートするためにＣＩＦを有さないＤＣＩフォーマット１Ａ及び０及びＣＩＦを有するＤＣＩ形式１Ａ’及び０’をサポートすることができる。しかしながら、ＵＥは、遷移間隔中にはモード依存ＤＣＩ形式はサポートすることができない。従って、ＵＥは、遷移間隔中には２つのみのＤＣＩサイズのためのブラインド復号を行うことができる。
【００７４】
明確化のために、以下の説明は、搬送波間シグナリングを起動させるための再設定事例を仮定する。しかしながら、以下において説明される設計は、ダウンリンクでの搬送波間シグナリングを停止させるための再設定事例に対しても、及びアップリンク搬送波のための再設定事例に対しても等しく当てはまることができる。
【００７５】
図８は、搬送波間シグナリングを起動させるための再設定のための遷移間隔中におけるフォールバック動作をサポートする設計を示す。図８に示される例において、時間Ｔ１よりも前では、ＵＥは、ＤＣＩ形式１Ａ及び０及びモード依存ＤＣＩ形式Ｗをサポートする。時間Ｔ１では、搬送波間シグナリングを起動させるためにそして可能な場合はＵＥのためのダウンリンク送信モードを変更するためにＲＲＣ再設定が行われる。時間Ｔ２では、ＵＥは、搬送波間シグナリングを用いて動作し、ＣＩＦを有さないＤＣＩ形式１Ａ及び０及びＣＩＦを有するＤＣＩ形式１Ａ’及び０’をサポートする。ＵＥは、（図８に示されるように）新たなダウンリンク送信モードのためにＣＩＦを有するモード依存ＤＣＩ形式Ｚ’を又は（図８に示されない）旧ダウンリンク送信モードのためにＣＩＦを有するモード依存ＤＣＩ形式Ｗ’もサポートする。
【００７６】
時間Ｔ１から時間Ｔ２への遷移間隔中に、ＵＥは、ＣＩＦを有さないＤＣＩ形式１Ａ及び０及びＣＩＦを有するＤＣＩ形式１Ａ’及び０’をモニタリングする。ＵＥは、遷移間隔中にはモード依存ＤＣＩ形式をモニタリングすることをスキップする。ＵＥは、遷移間隔中には２つのみのＤＣＩサイズのためのブラインド復号を行うことができる。
【００７７】
モード依存ＤＣＩ形式は、より高いデータレートをサポートするために典型的に用いられる。再設定は、頻繁でないイベントであることがあり、遷移期間は相対的に短くなることがある。その結果、ＵＥが遷移間隔中にモード依存ＤＣＩ形式をモニタリングしないことに起因して無視できるレベルの性能上の影響が存在することがある。
【００７８】
一設計では、遷移モニタリングモードは、ＵＥのために設定された全搬送波の部分組のみに関して（例えば、主搬送波のみに関して）適用することができる。他の設計では、遷移モニタリングモードは、全フォールバック搬送波に関して適用することができる。遷移モニタリングモードは、ＵＥが１つの搬送波のみで設定されている場合又はフォールバック搬送波が存在しない場合は適用することができない。
【００７９】
遷移モニタリングモードは、その他の方法で制約することもできる。一設計では、遷移モニタリングモードは、個々のＵＥごとの探索スペースに関して適用可能であり、しかしながら共通の探索スペースに関しては適用できない。この設計では、ＵＥは、遷移間隔中に共通の探索スペースで（例えば、ＣＩＦを有する又は有さない）ＤＩＣ形式１Ａ及び０及びモード依存ＤＣＩ形式をモニタリングすることができる。
【００８０】
遷移間隔は、様々な方法で定義することができ及び再設定に関わるｅＮＢ及びＵＥのために異なる方法で定義することができる。一設計では、ｅＮＢに関しては、遷移間隔は、ｅＮＢがＣＩＦ関連のＲＲＣ再設定手順を開始させるときに開始することができ、それは、ＲＲＣ接続再設定メッセージがｅＮＢによって送信されるときであることができる。遷移間隔は、ＲＲＣ再設定手順が完了されたときに終了することができ、それは、ＲＲＣ接続再設定完了メッセージがｅＮＢによって受信されたときであることができる。
【００８１】
一設計では、ＵＥに関して、遷移間隔は、ＵＥがＣＩＦ関連ＲＲＣ再設定手順を認識したときに開始することができ、それは、ＲＲＣ接続再設定完了メッセージが受信されたときであることができる。遷移間隔は、ｅＮＢがＵＥによって送信されたＲＲＣ接続再設定完了メッセージを受信していることの確認応答を受信したときに終了することができる。ＵＥは、ｅＮＢに対してＰＵＳＣＨでＲＲＣ接続再設定完了メッセージを送信することができ、ｅＮＢは、メッセージを含むＰＵＳＣＨ送信のための物理ＨＡＲＱインジケータチャネル（ＰＨＩＣＨ）でＡＣＫを送信することができる。
【００８２】
ｅＮＢでの遷移期間の開始及び終了は、例えば、再設定のためのＲＲＣメッセージを送信及び受信する際の遅延に起因して、ＵＥでの遷移間隔の開始及び終了と異なることができる。一設計では、タイマの使用を通じて遷移間隔の開始及び終了の追加保護を達成させることができる。例えば、遷移間隔は、ＲＲＣ接続再設定完了メッセージの成功裏の転送後のある期間だけｅＮＢ及びＵＥの両方のために延長することができる。その他のタイマ、例えば、最小タイマ、
最大タイマ、又は両方、も使用可能である。
【００８３】
一設計では、ｅＮＢは、遷移間隔中にＣＩＦを有する及び有さない両方のＤＣＩ形式を用いて２重許可（ｄｏｕｂｌｅ  ｇｒａｎｔ）を送信することができる。ｅＮＢは、ＣＩＦを有さないＤＣＩ形式（例えば、ＤＣＩ形式１Ａ、０又はＺ）に基づいて第１の許可を生成すること、ＣＩＦを有するＤＣＩ形式（例えば、ＤＣＩ形式１Ａ’、０’又はＺ’）に基づいて第２の許可を生成すること及び両方の許可をＵＥに送信することができる。ｅＮＢは、ＲＲＣ再設定メッセージがＵＥに達していることをｅＮＢが確認するまでＵＥがスケジューリングされるごとに２重許可を送信し続けることができる。ｅＮＢは、（ｉ）ＲＲＣ再設定メッセージのために受信された無線リンク制御（ＲＬＣ）ＡＣＫ又は（ｉｉ）ＵＥから受信されたＲＲＣ再設定完了メッセージに基づいてこれを決定することができる。この設計は、ＵＥがデータ送信のためにスケジューリングされるごとにＵＥが少なくとも１つの許可を受信することができるのを保証することができる。
【００８４】
一設計では、ＣＩＦを有する及び有さないＤＣＩ形式を用いて送信された２重許可は、ＵＥに割り当てられたＰＤＳＣＨ又はＰＵＳＣＨのために同じリソースを指し示すことができる。この設計では、ＰＤＳＣＨ／ＰＵＳＣＨリソースは浪費されず、２重許可は、その結果として、追加のＰＤＣＣＨリソースが使用されるだけである。他の設計では、２重許可は、異なるＰＤＳＣＨ／ＰＵＳＣＨリソースを対象とすることができる。この設計では、ＵＥは、ＵＥによって受信された許可によって示されるＰＤＳＣＨ／ＰＵＳＣＨリソースを利用することができ及びＵＥによって見逃された許可によって示されるＰＤＳＣＨ／ＰＵＳＣＨリソースを利用することができない。しかしながら、ｅＮＢは、（ｉ）アップリンクでのデータ送信のためにＵＥによって用いられる特定のＰＵＳＣＨリソース又は（ｉｉ）ダウンリンクでのデータ送信のためのＡＣＫ／ＮＡＣＫフィードバックを送信するためにＵＥによって用いられる特定のＰＵＣＣＨリソースに基づいて、いずれの許可がＵＥによって受信されたか、そして従ってＵＥの設定、を決定することができる。
【００８５】
ｅＮＢは、ＵＥが追加のブラインド復号を行わないように２重許可を送信することができる。さらに、ｅＮＢは、上述される設計の一部によってスケジューラ及び／又は探索スペース上の制約が課せられることなしに２重許可を送信することができる。しかしながら、２重許可を送信するために追加のＰＵＣＣＨリソースが消費されることがあり、それは、遷移間隔中にＰＤＣＣＨに対して追加の負担をかけることがある。ＲＲＣ再設定は頻繁でないことがあり及び遷移間隔は相対的に短くなることができるため、追加のＰＵＣＣＨリソースの使用は無視できるレベルの全体的影響を有することができる。
【００８６】
ここにおいて説明される技法は、搬送波間シグナリングを用いてのあらゆる数の搬送波での動作のために用いることができる。これらの搬送波は、同じ帯域幅又は異なる帯域幅を有することができる。ＤＣＩサイズは、搬送波帯域幅と関連付けることができる。しかしながら、異なる帯域幅の複数の搬送波が幾つかのＤＣＩ形式に関して同じＤＣＩサイズを有する場合は、所定の搬送波で送信されるＤＣＩのための異なる搬送波のためのＤＣＩ形式を区別するためにゼロパディング方式又は何らかのその他の方式を用いることができる。従って、搬送波間シグナリングは、ＣＩＦを用いることなしに暗黙に実現させることができる。
【００８７】
１つ以上の搬送波のためのＤＣＩ形式１Ａに対してゼロパディングが適用される場合は、これらの搬送波は、ＤＣＩ形式１Ａのためのフォールバックが必要になることがある。その場合は、上述される設計は、各々の該搬送波でのフォールバック動作をサポートするために用いることができる。
【００８８】
図９は、ｅＮＢの一部であることができるメッセージ生成器９００の設計のブロック図を示す。メッセージ生成器９００内において、モジュール９１２は、ＵＥのためのＲＲＣ再設定メッセージを受信することができ及びＵＥの動作状態を決定することができる。例えば、モジュール９１２は、ＵＥが１つの搬送波又は複数の搬送波で動作中であるか、搬送波間シグナリング（又はＣＩＦ）がＵＥのためにイネーブルにされているかどうか、各搬送波でＵＥのために設定されたダウンリンク送信モード、等を決定することができる。モジュール９１２は、ＤＣＩがＵＥに送信される搬送波の指示を受信することができ、それは、ＤＣＩ搬送波と呼ぶことができる。従って、モジュール９１２は、搬送波間シグナリングがＤＣＩ搬送波でＵＥのためにイネーブルにされているかどうかの指示及びＤＣＩ搬送波でＵＥのために設定されたダウンリンク送信モードを提供することができる。
【００８９】
モジュール９１４は、ＤＣＩ搬送波の指示、ＣＩＦがＵＥのためにイネーブルにされているかどうかの指示、及びＤＣＩ搬送波でのＵＥのためのダウンリンク送信モードを受信することができる。モジュール９１４は、ＤＣＩ搬送波でのＵＥによってサポートされるＤＣＩ形式の組を提供することができる。サポートされたＤＣＩ形式は、ＣＩＦを有さないＤＣＩ形式とＣＩＦを有するＤＣＩ形式とを含むことができる。モジュール９１６は、ＤＣＩ搬送波の指示、サポートされたＤＣＩ形式の組、及びＵＥに送信するＤＣＩのメッセージタイプを受信することができ及び選択されたＤＣＩ形式を提供することができる。
【００９０】
メッセージ生成器９１８は、ＵＥに送信するＤＣＩ及び選択されたＤＣＩ形式を受信することができ及び選択されたＤＣＩ形式に基づいてＰＵＣＣＨメッセージを生成することができる。モジュール９２０は、ＰＵＣＣＨメッセージ及びＰＵＣＣＨのための使用のために選択されたＣＣＥの指示を受信することができ及び選択されたＣＣＥで送信されたＰＵＣＣＨメッセージを有するＰＵＣＣＨ送信を生成することができる。
【００９１】
図１０は、ＵＥの一部であることができるメッセージ検出器１０００の設計
のブロック図を示す。メッセージ検出器１０００内において、モジュール１０１２は、ＵＥのためのＲＲＣ再設定メッセージを受信することができ及びＵＥの動作状態を決定することができる。例えば、モジュール１０１２は、ＵＥが１つの搬送波又は複数の搬送波で動作中であるかどうか、搬送波間シグナリング（又はＣＩＦ）がＵＥのためにイネーブルにされているかどうか、各搬送波でＵＥのために選択されたダウンリンク送信モード、等を決定することができる。モジュール１０１２は、ＤＣＩを検出すべき搬送波の指示を受信することができ、それは、ＤＣＩ搬送波と呼ぶことができる。モジュール１０１２は、搬送波間シグナリングがＵＥのためにイネーブルにされているかどうかの指示及びＤＣＩ搬送波のためのダウンリンク送信モードを提供することができる。
【００９２】
モジュール１０１４は、ＤＣＩ搬送波の指示、ＣＩＦがイネーブルにされているかどうかの指示、及びＤＣＩ搬送波のためのダウンリンク送信モードを受信することができ及びＤＣＩ搬送波でサポートされるＤＣＩ形式の組を提供することができる。モジュール１０１６は、ＤＣＩ搬送波の指示及びサポートされたＤＣＩ形式の組を受信することができ及びＤＣＩ搬送波のための復号候補の組を決定することができる。各復号候補は、特定のＰＤＣＣＨ候補と特定のＤＣＩサイズの一意の組み合わせに対応することができる。復号候補は、上述されるように、ＤＣＩ搬送波での各ＰＤＣＣＨ候補のためにいずれのＤＣＩ形式が許容されるかに依存することができる。モジュール１０１８は、モジュール１０１６によって提供された復号候補の各々に基づいて受信されたサンプルを復号することができる。モジュール１０１８は、有効な復号候補に対応する復号されたＰＵＣＣＨメッセージを提供することができる。
【００９３】
図１１は、無線通信システムにおいてＤＣＩを受信するためのプロセス１１００の設計を示す。プロセス１１００は、（以下において説明されるように）ＵＥによって又は何らかのその他のエンティティによって行うことができる。ＵＥは、第１の搬送波でモニタリングすべき少なくとも１つの第１のＤＣＩ形式（例えば、ＣＩＦを有さないＤＣＩ形式）を決定することができる。ＵＥは、ＵＥに送信されたＤＣＩを検出するために第１の搬送波で少なくとも１つの第１のＤＣＩ形式をモニタリングすることができる（ブロック１１１４）。ＵＥは、搬送波間シグナリングを用いてのＵＥによる複数の搬送波での通信に関連する再設定メッセージを受信することができる（ブロック１１１６）。ＵＥは、再設定メッセージに基づいて第１の搬送波でモニタリングすべき少なくとも１つの第２のＤＣＩ形式（例えば、ＣＩＦを有するＤＣＩ形式）を決定することができる（ブロック１１１８）。ＵＥは、ＵＥに送信されたＤＣＩを検出するために再設定メッセージを受信後に第１の搬送波で少なくとも１つの第１のＤＣＩ形式及び少なくとも１つの第２のＤＣＩ形式をモニタリングすることができる。
【００９４】
一設計では、各々の第２のＤＣＩ形式は、例えば図４に示されるように、対応する第１のＤＣＩ形式と搬送波間シグナリングをサポートする少なくとも１つの追加フィールドとを備えることができる。一設計では、少なくとも１つの追加フィールドはＣＩＦを備えることができ、それは、データ送信がスケジューリングされる搬送波を示すことができる。少なくとも１つの追加フィールドは、搬送波間シグナリングをサポートするための異なる及び／又はその他のフィールドを含むこともできる。一設計では、少なくとも１つの第１のＤＣＩ形式は、第１のサイズを有することができ、少なくとも１つの第２のＤＣＩ形式は、第１のサイズと異なる第２のサイズを有することができる。
【００９５】
一設計では、フォールバック動作は、第１の搬送波で一定のＤＣＩ形式に関してサポートすることができる。一設計では、少なくとも１つの第１のＤＣＩ形式は、ダウンリンク許可のためのＤＣＩ形式１Ａ、又はアップリンク許可のためのＤＣＩ形式０、又は幾つかのその他のＤＣＩ形式、又はそれらの組み合わせを含むことができる。一設計では、少なくとも１つの第２のＤＣＩ形式は、ＤＣＩ形式１ＡとＣＩＦとを備えるＤＣＩ形式１Ａ’、又はＤＣＩ形式０とＣＩＦとを備えるＤＣＩ形式０’、又は幾つかのその他のＤＣＩ形式、又はそれらの組み合わせを含むことができる。
【００９６】
一設計では、フォールバック動作は、モード依存ＤＣＩ形式に関してサポートすることができる。他の設計では、フォールバック動作は、モード依存ＤＣＩ形式に関してサポートすることができない。この設計では、ＵＥは、再設定メッセージを受信前に第１の搬送波でモニタリングすべき第３のＤＣＩ形式を決定することができる。ＵＥは、ＵＥに送信されたＤＣＩを検出するために、再設定メッセージを受信前に、第１の搬送波で第３のＤＣＩ形式をモニタリングすることができる。ＵＥは、再設定メッセージを受信後に第１の搬送波でモニタリングすべき第４のＤＣＩ形式を決定することができる。ＵＥは、ＵＥに送信されたＤＣＩを検出するために、再設定メッセージを受信後に、第１の搬送波で第４のＤＣＩ形式をモニタリングすることができ、しかしながら第３のＤＣＩ形式はモニタリングすることができない。第３及び第４のＤＣＩ形式は、第１の搬送波でのＵＥの送信モードと関連付けることができる。例えば、第３のＤＣＩ形式は、表１に示されるＤＣＩ形式のうちのいずれかの１つであることができ、第４のＤＣＩ形式は、第３のＤＣＩ形式とＣＩＦとを備えることができる。
【００９７】
一設計では、フォールバック動作は、全搬送波でサポートすることができる。他の設計では、フォールバック動作は、１つ以上の指定された搬送波に制限することができる。この設計では、ＵＥは、再設定メッセージを受信後に複数の搬送波の部分組で少なくとも１つの第１のＤＣＩ形式及び少なくとも１つの第２のＤＣＩ形式をモニタリングすることができる。この部分組は、第１の搬送波を含むことができ、それは、主搬送波であることができる。ＵＥは、再設定メッセージを受信後に複数の搬送波のうちの残りのそれらで少なくとも１つの第２のＤＣＩ形式をモニタリングすることができ、しかしながら少なくとも１つの第１のＤＣＩ形式はモニタリングすることができない。
【００９８】
一設計では、フォールバック動作は、第１の搬送波で全探索スペースに関してサポートすることができる。ブロック１１２０に関して、ＵＥは、第１の搬送波でＵＥのための全探索スペースにおける少なくとも１つの第２のＤＣＩ形式をモニタリングすることができる。他の設計では、フォールバック動作は、第１の搬送波でのＵＥのための探索スペースの部分組に制限することができる。ブロック１１２０に関して、ＵＥは、例えば表３に示されるように、個々のＵＥごとの探索スペースにおける少なくとも１つの第２のＤＣＩ形式をモニタリングすることができ、しかしながら共通の探索スペースにおける少なくとも１つの第２のＤＣＩ形式はモニタリングすることができない。
【００９９】
一設計では、フォールバック動作は、第１の搬送波でＵＥのための全ＰＤＣＣＨ候補に関してサポートすることができる。ＵＥは、第１の搬送波でＵＥのための複数のＰＤＣＣＨ候補を決定することができる。ＵＥは、少なくとも１つの第１のＤＣＩ形式及び同じく少なくとも１つの第２のＤＣＩ形式に基づいて複数のＰＤＣＣＨ候補を復号することができる。
【０１００】
他の設計では、フォールバック動作は、第１の搬送波でＵＥのためのＰＤＣＣＨ候補の部分組に関してサポートすることができる。ＵＥは、第１の搬送波でＵＥのためのＰＤＣＣＨ候補の第１の組及びＰＤＣＣＨ候補の第２の組を決定することができる。ＵＥは、少なくとも１つの第１のＤＣＩ形式のためのＰＤＣＣＨ候補の第１の組を復号することができ、しかしながら少なくとも１つの第２のＤＣＩ形式のためのＰＤＣＣＨ候補の第１の組は復号することはできない。ＵＥは、少なくとも１つの第１のＤＣＩ形式及び少なくとも１つの第２のＤＣＩ形式のためのＰＤＣＣＨ候補の第２の組を復号することができる。一設計では、表３に示されるように、ＰＤＣＣＨ候補の第１の組は、第１の搬送波でのＵＥのための共通の探索スペースを対象とすることができ、ＰＤＣＣＨ候補の第２の組は、第１の搬送波でのＵＥのための個々のＵＥごとの探索スペースを対象とすることができる。他の設計では、ＰＤＣＣＨ候補の第１及び第２の組は、第１の搬送波でのＵＥのための探索スペースの異なる部分に対応することができる。さらに他の設計では、ＰＤＣＣＨ候補の第１及び第２の組は、第１の搬送波でのＵＥのための探索スペースに関するアグリゲーションレベルの異なる部分に対応することができる。ＰＤＣＣＨ候補の第１及び第２の組は、その他の方法で定義することもできる。
【０１０１】
一設計では、遷移モニタリングモードをサポートすることができる。ＵＥは、ＵＥに送信されたＤＣＩを検出するために再設定メッセージを受信前に第１の搬送波でモニタリングすべき第３のＤＣＩ形式（例えば、モード依存ＤＣＩ形式）を決定することができる。ＵＥは、（例えば、図８に示されるように）再設定メッセージに基づいてＵＥの再設定のための遷移間隔中に第１の搬送波で少なくとも１つの第１のＤＣＩ形式及び少なくとも１つの第２のＤＣＩ形式をモニタリングすることができ、しかしながら第３のＤＣＩ形式はモニタリングすることができない。ＵＥは、再設定メッセージがＵＥによって受信される時間に基づいて遷移間隔の始まりを決定することができる。ＵＥは、再設定完了メッセージを基地局に送信することができ及びその後にこのメッセージに関する確認応答を受信することができる。ＵＥは、（ｉ）再設定完了メッセージがＵＥによって送信される時間Ｔｘ又は（ｉｉ）再設定完了メッセージに関する確認応答がＵＥによって受信される時間Ｔｙに基づいて遷移間隔の終わりを決定することができる。ＵＥは、さらにタイマに基づいて遷移間隔の終わりを決定することもでき、それは、時間Ｔｘ又は時間Ｔｙにおいて始動させることができる。
【０１０２】
一設計では、フォールバック動作は、例えば図６に示されるように、ＵＥのために新しい搬送波が追加されたときに起動させることができる。ＵＥは、（ｉ）再設定メッセージを受信前に単一の搬送波（例えば、第１の搬送波）で及び（ｉｉ）再設定メッセージを受信後に搬送波間シグナリングを用いて複数の搬送波でデータを受信することができる。一設計では、フォールバック動作は、例えば図７に示されるように、搬送波間シグナリング（又はＣＩＦ）が起動されたときに起動させることができる。ＵＥは、（ｉ）再設定メッセージを受信前に搬送波間シグナリングを用いずに及び（ｉｉ）再設定メッセージを受信後に搬送波間シグナリングを用いて複数の搬送波でデータを受信することができる。
【０１０３】
図１２は、無線通信システムにおいてＤＣＩを送信するためのプロセス１２００の設計を示す。プロセス１２００は、（以下において説明されるように）基地局／ｅＮＢによって又は何らかのその他のエンティティによって行うことができる。基地局は、第１の搬送波でＵＥによってモニタリングされた少なくとも１つの第１のＤＣＩ形式を決定することができる（ブロック１２１２）。基地局は、少なくとも１つの第１のＤＣＩ形式に基づいてＵＥに第１の搬送波でＤＣＩを送信することができる（ブロック１２１４）。基地局は、搬送波間シグナリングを用いてのＵＥによる複数の搬送波での通信に関連する再設定メッセージをＵＥに送信することができる（ブロック１２１６）。基地局は、再設定メッセージに応答して第１の搬送波でＵＥによってモニタリングされた少なくとも１つの第２のＤＣＩ形式を決定することができる（ブロック１２１８）。基地局は、再設定メッセージを送信後に少なくとも１つの第１のＤＣＩ形式及び少なくとも１つの第２のＤＣＩ形式に基づいてＵＥに第１の搬送波でＤＣＩを送信することができる（ブロック１２２０）。第１及び第２のＤＣＩ形式は、図１１に関して上述されるとおりであることができる。
【０１０４】
一設計では、フォールバック動作は、第１の搬送波での一定のＤＣＩ形式（例えば、ＤＣＩ形式１Ａ及び０）に関してサポートすることができる。一設計では、フォールバック動作は、モード依存ＤＣＩ形式に関してはサポートすることができない。基地局は、再設定メッセージを送信前に第１の搬送波でＵＥによってモニタリングされた第３のＤＣＩ形式を決定することができる。基地局は、再設定メッセージを送信前にさらに第３のＤＣＩ形式に基づいてＵＥに第１の搬送波でＤＣＩを送信することができる。基地局は、再設定メッセージを送信後に第１の搬送波でＵＥによってモニタリングされた第４のＤＣＩ形式を決定することができる。基地局は、再設定メッセージを送信後にさらに第４のＤＣＩ形式に基づいてＵＥに第１の搬送波でＤＣＩを送信することができ、しかしながら第３のＤＣＩ形式に基づいてＵＥに第１の搬送波でＤＣＩを送信することはできない。第３及び第４のＤＣＩ形式は、第１の搬送波でのＵＥの送信モードと関連付けることができる。
【０１０５】
一設計では、フォールバック動作は、全搬送波でサポートすることができる。他の設計では、フォールバック動作は、１つ以上の指定された搬送波に制限することができる。この設計では、基地局は、再設定メッセージを送信後に複数の搬送波の部分組で少なくとも１つの第１のＤＣＩ形式及び少なくとも１つの第２のＤＣＩ形式に基づいてＵＥにＤＣＩを送信することができる。基地局は、再設定メッセージを送信後に複数の搬送波のうちの残りのそれらで少なくとも１つの第２のＤＣＩ形式に基づいてＵＥにＤＣＩを送信することができ、しかしながら少なくとも１つの第１のＤＣＩ形式に基づいてＵＥにＤＣＩを送信することはできない。
【０１０６】
一設計では、フォールバック動作は、第１の搬送波でのＵＥのための全探索スペースに関してサポートすることができる。他の設計では、フォールバック動作は、第１の搬送波でのＵＥのための探索スペースの部分組に制限することができる。例えば、基地局は、例えば表３に示されるように、第１の搬送波でＵＥのために個々のＵＥごとの探索スペースにおいて少なくとも１つの第２のＤＣＩ形式に基づいてＵＥにＤＣＩを送信することができ、しかしながら共通の探索スペースにおいて少なくとも１つの第２のＤＣＩ形式に基づいてＵＥにＤＣＩを送信することはできない。
【０１０７】
一設計では、フォールバック動作は、第１の搬送波でのＵＥのための全ＰＤＣＣＨ候補に関してサポートすることができる。他の設計では、フォールバック動作は、第１の搬送波でのＵＥのためのＰＤＣＣＨ候補の部分組に関してサポートすることができる。この設計に関して、基地局は、第１の搬送波でＵＥのためのＰＤＣＣＨ候補の第１の組において少なくとも１つの第１のＤＣＩ形式に基づいてＤＣＩを送信することができ、しかしながら少なくとも１つの第２のＤＣＩ形式に基づいてＤＣＩを送信することはできない。基地局は、第１の搬送波でＵＥのためのＰＤＣＣＨ候補の第２の組において少なくとも１つの第１のＤＣＩ形式及び少なくとも１つの第２のＤＣＩ形式に基づいてＤＣＩを送信することができる。ＰＤＣＣＨ候補の第１及び第２の組は、図１１に関して上述されるように、様々な方法で定義することができる。
【０１０８】
一設計では、フォールバック動作は、例えば図６に示されるように、ＵＥのために新しい搬送波が追加されたときに起動させることができる。基地局は、（ｉ）再設定メッセージを送信前に単一の搬送波で及び（ｉｉ）再設定メッセージを送信後に搬送波間シグナリングを用いた複数の搬送波でデータを送信することができる。一設計では、フォールバック動作は、例えば図７に示されるように、搬送波間シグナリング（又はＣＩＦ）が起動されたときに起動させることができる。基地局は、（ｉ）再設定メッセージを送信前に搬送波間シグナリングを用いずに及び（ｉｉ）再設定メッセージを送信後に搬送波間シグナリングを用いて複数の搬送波でＵＥにデータを送信することができる。
【０１０９】
一設計では、基地局は、２重の割り当て／許可を送信することができる。基地局は、少なくとも１つのＤＣＩ形式のうちの１つに基づいてＵＥへのデータ送信のための第１の許可を生成することができる。基地局は、少なくとも１つの第２のＤＣＩ形式のうちの１つに基づいてＵＥへのデータ送信のための第２の許可を生成することができる。基地局は、例えば同じサブフレームで、第１及び第２の許可をＵＥに送信することができる。
【０１１０】
図１３は、基地局／ｅＮＢ１１０及びＵＥ１２０の設計のブロック図を示し、それらは、図１の基地局／ｅＮＢのうちの１つ及びＵＥのうちの１つであることができる。基地局１１０は、Ｔのアンテナ１３３４ａ乃至１３３４ｔを装備することができ、ＵＥ１２０は、Ｒのアンテナ１３５２ａ乃至１３５２ｒを装備することができ、ここで、概して、Ｔ≧１及びＲ≧１である。
【０１１１】
基地局１１０において、送信プロセッサ１３２０は、ダウンリンクデータ送信のためにスケジューリングされた１つ以上のＵＥのためにデータソース１３１２からデータを受信し、各ＵＥのために選択された１つ以上の変調及びコーディング方式に基づいてそのＵＥのためにデータを処理（例えば、符号化及び変調）し、全ＵＥのためのデータシンボルを提供することができる。送信プロセッサ１３２０は、制御情報（例えば、許可、再設定メッセージ、等）を処理し、制御シンボルを提供することもできる。送信プロセッサ１３２０は、同期化信号および基準信号のための基準シンボルを生成することもできる。送信（ＴＸ）ＭＩＭＯプロセッサ１３３０は、データシンボル、制御シンボル、及び／又は基準シンボル（該当する場合）をプリコーディングすることができ及びＴの出力シンボルストリームをＴの変調器（ＭＯＤ）１３３２ａ乃至１３３２ｔに提供することができる。各変調器１３３２は、（例えば、ＯＦＤＭに関する）それの出力シンボルストリームを処理して出力サンプルストリームを入手することができる。各変調器１３３２は、それの出力サンプルストリームをさらにコンディショニング（例えば、アナログへの変換、フィルタリング、増幅、及びアップコンバージョン）し、ダウンリンク信号を生成することができる。変調器１３３２ａ乃至１３３２ｔからのＴのダウンリンク信号は、Ｔのアンテナ１３３４ａ乃至１３３４ｔをそれぞれ介して送信することができる。
【０１１２】
ＵＥ１２０において、Ｒのアンテナ１３５２ａ乃至１３５２ｒは、基地局１１０からダウンリンク信号を受信することができ、各アンテナ１３５２は、受信された信号を関連付けられた復調器（ＤＥＭＯＤ）１３５４に提供することができる。各復調器１３５４は、それの受信された信号をコンディショニング（例えば、フィルタリング、増幅、ダウンコンバージョン、及びデジタル化）してサンプルを入手することができ及び（例えば、ＯＦＤＭに関して）それらのサンプルをさらに処理して受信されたシンボルを入手することができる。ＭＩＭＯ検出器１３６０は、全復調器１３５４から受信されたシンボルを入手し、該当する場合は受信されたシンボルにおいてＭＩＭＯ検出を行い、検出されたシンボルを提供することができる。受信プロセッサ１３７０は、検出されたシンボルを処理（例えば、復調及び復号）し、ＵＥ１２０のための復号されたデータをデータシンク１３７２に提供し、復号された制御情報をコントローラ／プロセッサ１３９０に提供することができる。
【０１１３】
アップリンクでは、ＵＥ１２０において、データソース１３７８からのデータ、コントローラ／プロセッサ１３９０からの制御情報（例えば、ＡＣＫ情報、ＣＱＩ情報、等）、及び基準信号を送信プロセッサ１３８０によって処理し、該当する場合はＴＸ  ＭＩＭＯプロセッサ１３８２によってプリコーディングし、変調器１３５４ａ乃至１３５４ｒによってさらに処理し、基地局１１０に送信することができる。基地局１１０において、ＵＥ１２０からのアップリンク信号は、アンテナ１３３４によって受信し、復調器１３３２によって処理し、該当する場合はＭＩＭＯ検出器１３３６によって検出し、受信プロセッサ１３３８によってさらに処理してＵＥ１２０によって送信されたデータ及び制御情報を復元することができる。プロセッサ１３３８は、復元されたデータをデータシンク１３３９に提供することができ及び復元された制御情報をコントローラ／プロセッサ１３４０に提供することができる。
【０１１４】
コントローラ／プロセッサ１３４０及び１３９０は、基地局１１０及びＵＥ１２０での動作をそれぞれ指示することができる。基地局１１０のプロセッサ１３２０、プロセッサ１３４０、及び／又はその他のプロセッサ及びモジュールは、図１２のプロセス１２００及び／又はここにおいて説明される技法のためのその他のプロセスを実行又は指示することができる。ＵＥ１２０のプロセッサ１３７０、プロセッサ１３９０、及び／又はその他のプロセッサ及びモジュールは、図１１のプロセス１１００及び／又はここにおいて説明される技法のためのその他のプロセスを実行又は指示することができる。メモリ１３４２及び１３９２は、基地局１１０及びＵＥ１２０のためのデータ及びプログラムコードをそれぞれ格納することができる。スケジューラ１３４４は、ダウンリンク及び／又はアップリンクでのデータ送信のためにＵＥ１２０及び／又はその他のＵＥをスケジューリングすることができる。基地局１１０のプロセッサ１３２０、プロセッサ１３４０、スケジューラ１３４４、及び／又はその他のプロセッサ及びモジュールは、図９のモジュール９００を実装することができる。ＵＥ１２０のプロセッサ１３７０、プロセッサ１３９０、及び／又はその他のプロセッサ及びモジュールは、図１０のモジュール１０００を実装することができる。
【０１１５】
一構成においては、無線通信のための装置１２０は、ＵＥにおいて第１の搬送波でモニタリングすべき少なくとも１つの第１のＤＣＩ形式を決定するための手段と、ＵＥに送信されたＤＣＩを検出するために第１の搬送波で少なくとも１つの第１のＤＣＩ形式を決定するための手段と、搬送波間シグナリングを用いてのＵＥによる複数の搬送波での通信に関連する再設定メッセージをＵＥにおいて受信するための手段と、再設定メッセージに基づいてＵＥにおいて第１の搬送波でモニタリングすべき少なくとも１つの第２のＤＣＩ形式を決定するための手段と、ＵＥに送信されたＤＣＩを検出するために再設定メッセージを受信後に第１の搬送波で少なくとも１つの第１のＤＣＩ形式及び少なくとも１つの第２のＤＣＩ形式をモニタリングするための手段と、を含むことができる。
【０１１６】
一構成においては、無線通信のための装置１１０は、第１の搬送波でＵＥによってモニタリングされた少なくとも１つの第１のＤＣＩ形式を決定するための手段と、少なくとも１つの第１のＤＣＩ形式に基づいてＵＥに第１の搬送波でＤＣＩを送信するための手段と、搬送波間シグナリングを用いてのＵＥによる複数の搬送波での通信に関連する再設定メッセージをＵＥに送信するための手段と、再設定メッセージに応答して第１の搬送波でＵＥによってモニタリングされた少なくとも１つの第２のＤＣＩ形式を決定するための手段と、再設定メッセージを送信後に少なくとも１つの第１のＤＣＩ形式及び少なくとも１つの第２のＤＣＩ形式に基づいてＵＥに第１の搬送波でＤＣＩを送信するための手段と、を含むことができる。
【０１１７】
一態様においては、上記の手段は、基地局１１０におけるプロセッサ１３２０、１３３８及び／又は１３４０及び／又はＵＥ１２０におけるプロセッサ１３７０、１３８０及び／又は１３９０であることができ、それらは、上記の手段によって示される機能を実行するように構成することができる。他の態様においては、上記の手段は、上記の手段によって示される機能を実行するように構成された１つ以上のモジュール又は装置であることができる。
【０１１８】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１１９】
ここにおける開示と関係させて説明される様々な例示的な論理ブロック、モジュール、回路、及びアルゴリズムのステップは、電子ハードウェア、コンピュータソフトウェア、又は両方の組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１２０】
ここにおける開示と関係させて説明される様々な例示的な、論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１２１】
ここにおける開示と関係させて説明される方法又はアルゴリズムのステップは、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサに結合され、このため、プロセッサは、記憶媒体から情報を読み出すこと及び記憶媒体に情報を書き込むことができる。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【０１２２】
１つ以上の典型的な設計において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又は符号として格納すること又は送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用又は専用コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【０１２３】
本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
以下に、出願当初の特許請求の範囲に記載された発明を付記する。
［Ｃ１］
ユーザ装置（ＵＥ）において第１の搬送波でモニタリングすべき少なくとも１つの第１のダウンリンク制御情報（ＤＣＩ）形式を決定することと、
前記ＵＥに送信されたＤＣＩを検出するために前記第１の搬送波で前記少なくとも１つの第１のＤＣＩ形式をモニタリングすることと、
搬送波間シグナリングを用いての前記ＵＥによる複数の搬送波での通信に関連する再設定メッセージを前記ＵＥにおいて受信することと、
前記再設定メッセージに基づいて前記ＵＥにおいて前記第１の搬送波でモニタリングすべき少なくとも１つの第２のＤＣＩ形式を決定することと、
前記ＵＥに送信されたＤＣＩを検出するために前記再設定メッセージを受信後に前記第１の搬送波で前記少なくとも１つの第１のＤＣＩ形式及び前記少なくとも１つの第２のＤＣＩ形式をモニタリングすることと、を備える、無線通信方法。
［Ｃ２］
各第２のＤＣＩ形式は、対応する第１のＤＣＩ形式と、搬送波間シグナリングをサポートする少なくとも１つの追加フィールドと、を備えるＣ１に記載の方法。
［Ｃ３］
前記少なくとも１つの追加フィールドは、データ送信がスケジューリングされる搬送波を示す搬送波間指示フィールド（ＣＩＦ）を備えるＣ２に記載の方法。
［Ｃ４］
前記少なくとも１つの第１のＤＣＩ形式は、第１のサイズを有し、前記少なくとも１つの第２のＤＣＩ形式は、前記第１のサイズと異なる第２のサイズを有するＣ１に記載の方法。
［Ｃ５］
前記再設定メッセージを受信前に前記第１の搬送波でモニタリングすべき第３のＤＣＩ形式を決定することであって、前記第３のＤＣＩ形式は、前記第１の搬送波での前記ＵＥの送信モードと関連付けられることと、
前記ＵＥに送信されたＤＣＩを検出するために前記再設定メッセージを受信前に前記第１の搬送波で前記第３のＤＣＩ形式をモニタリングすることと、
前記再設定メッセージを受信後に前記第１の搬送波でモニタリングすべき第４のＤＣＩ形式を決定することであって、前記第４のＤＣＩ形式は、前記第１の搬送波での前記ＵＥの前記送信モードと関連付けられることと、
前記再設定メッセージを受信後に前記第１の搬送波で前記ＵＥに送信されたＤＣＩを検出するために前記第４のＤＣＩ形式をモニタリングし、前記第３のＤＣＩ形式はモニタリングしないことと、をさらに備えるＣ１に記載の方法。
［Ｃ６］
前記再設定メッセージを受信後に第２の搬送波で前記少なくとも１つの第２のＤＣＩ形式をモニタリングし、しかしながら前記少なくとも１つの第１のＤＣＩ形式はモニタリングしないことをさらに備えるＣ１に記載の方法。
［Ｃ７］
前記再設定メッセージを受信後に前記複数の搬送波の部分組で前記少なくとも１つの第１のＤＣＩ形式及び前記少なくとも１つの第２のＤＣＩ形式をモニタリングすることであって、前記複数の搬送波の前記部分組は、前記第１の搬送波を含むことと、
前記再設定メッセージを受信後に前記複数の搬送波のうちの残りのそれらで少なくとも１つの第２のＤＣＩ形式をモニタリングし、前記少なくとも１つの第１のＤＣＩ形式はモニタリングしないことと、をさらに備えるＣ１に記載の方法。
［Ｃ８］
前記少なくとも１つの第１のＤＣＩ形式及び前記少なくとも１つの第２のＤＣＩ形式を前記モニタリングすることは、前記第１の搬送波で前記ＵＥのために全探索スペースにおいて前記少なくとも１つの第２のＤＣＩ形式をモニタリングすることを備えるＣ１に記載の方法。
［Ｃ９］
前記少なくとも１つの第１のＤＣＩ形式及び前記少なくとも１つの第２のＤＣＩ形式を前記モニタリングすることは、前記第１の搬送波で前記ＵＥの個々のＵＥごとの探索スペースにおいて前記少なくとも１つの第２のＤＣＩ形式をモニタリングし、共通の探索スペースで前記少なくとも１つの第２のＤＣＩ形式はモニタリングしないことと、を備えるＣ１に記載の方法。
［Ｃ１０］
前記少なくとも１つの第１のＤＣＩ形式及び前記少なくとも１つの第２のＤＣＩ形式を前記モニタリングすることは、
前記第１の搬送波で前記ＵＥのための複数の物理ダウンリンク制御チャネル（ＰＤＣＣＨ）候補を決定することと、
前記少なくとも１つの第１のＤＣＩ形式及び前記少なくとも１つの第２のＤＣＩ形式に基づいて前記複数のＰＤＣＣＨ候補を復号することと、を備えるＣ１に記載の方法。
［Ｃ１１］
前記少なくとも１つの第１のＤＣＩ形式及び前記少なくとも１つの第２のＤＣＩ形式を前記モニタリングすることは、
前記第１の搬送波で前記ＵＥのための物理ダウンリンク制御チャネル（ＰＤＣＣＨ）候補の第１の組を決定することと、
前記第１の搬送波で前記ＵＥのためのＰＤＣＣＨ候補の第２の組を決定することと、
前記少なくとも１つの第１のＤＣＩ形式のためのＰＤＣＣＨ候補の前記第１の組を復号し、しかしながら前記少なくとも１つの第２のＤＣＩ形式のためのＰＤＣＣＨ候補の前記第１の組は復号しないことと、
前記少なくとも１つの第１のＤＣＩ形式及び前記少なくとも１つの第２のＤＣＩ形式のためのＰＤＣＣＨ候補の前記第２の組を復号することと、を備えるＣ１記載の方法。
［Ｃ１２］
ＰＤＣＣＨ候補の前記第１の組は、前記第１の搬送波での共通の探索スペースを対象とし、ＰＤＣＣＨ候補の前記第２の組は、前記第１の搬送波での個々のＵＥごとの探索スペースを対象とするＣ１１に記載の方法。
［Ｃ１３］
ＰＤＣＣＨ候補の前記第１及び第２の組は、前記第１の搬送波での前記ＵＥのための探索スペースの異なる部分に対応するＣ１１に記載の方法。
［Ｃ１４］
ＰＤＣＣＨ候補の前記第１及び第２の組は、前記第１の搬送波での前記ＵＥのための探索スペースに関するアグリゲーションレベルの異なる部分に対応するＣ１１に記載の方法。
［Ｃ１５］
前記再設定メッセージを受信前に前記第１の搬送波でモニタリングすべき第３のＤＣＩ形式を決定することであって、前記第３のＤＣＩ形式は、前記第１の搬送波での前記ＵＥの送信モードと関連付けられることと、
前記ＵＥに送信されたＤＣＩを検出するために前記再設定メッセージを受信前に前記第１の搬送波で前記第３のＤＣＩ形式をモニタリングすることと、
前記再設定メッセージに基づいて前記ＵＥの再設定のための遷移間隔中に前記第１の搬送波で、前記少なくとも１つの第１のＤＣＩ形式及び前記少なくとも１つの第２のＤＣＩ形式をモニタリングし、前記第３のＤＣＩ形式はモニタリングしないことと、をさらに備えるＣ１に記載の方法。
［Ｃ１６］
前記再設定メッセージが前記ＵＥによって受信される時間に基づいて前記遷移間隔の始まりを決定することをさらに備えるＣ１５に記載の方法。
［Ｃ１７］
前記ＵＥによって再設定完了メッセージを送信することと、
前記再設定完了メッセージに関する確認応答を受信することと、
前記再設定完了メッセージが前記ＵＥによって送信される時間又は前記再設定完了メッセージに関する前記確認応答が前記ＵＥによって受信される時間に基づいて前記遷移間隔の終わりを決定することと、をさらに備えるＣ１５に記載の方法。
［Ｃ１８］
前記遷移間隔の前記終わりを前記決定することは、さらにタイマに基づいて前記遷移間隔の前記終わりを決定することを備え、前記タイマは、前記再設定完了メッセージが送信される前記時間に又は前記再設定完了メッセージに関する前記確認応答が受信される前記時間に始動されるＣ１７に記載の方法。
［Ｃ１９］
前記再設定メッセージを受信前に前記ＵＥによって単一搬送波でデータを受信することと、
前記再設定メッセージを受信後に前記ＵＥによって搬送波間シグナリングを用いて前記複数の搬送波でデータを受信することと、をさらに備えるＣ１に記載の方法。
［Ｃ２０］
前記再設定メッセージを受信前に前記ＵＥによって搬送波間シグナリングを用いずに前記複数の搬送波でデータを受信することと、
前記再設定メッセージを受信後に前記ＵＥによって搬送波間シグナリングを用いて前記複数の搬送波でデータを受信することと、をさらに備えるＣ１に記載の方法。
［Ｃ２１］
前記少なくとも１つの第１のＤＣＩ形式は、ダウンリンク許可のためのＤＣＩ形式１Ａ、又はアップリンク許可のためのＤＣＩ形式０、又は両方を含むＣ１に記載の方法。
［Ｃ２２］
前記少なくとも１つの第２のＤＣＩ形式は、ＤＣＩ形式１Ａと搬送波間指示フィールド（ＣＩＦ）とを備えるＤＣＩ形式１Ａ’、又はＤＣＩ形式０とＣＩＦとを備えるＤＣＩ形式０’、又は両方を含むＣ１記載の方法。
［Ｃ２３］
ユーザ装置（ＵＥ）において第１の搬送波でモニタリングすべき少なくとも１つの第１のダウンリンク制御情報（ＤＣＩ）形式を決定するための手段と、
前記ＵＥに送信されたＤＣＩを検出するために前記第１の搬送波で前記少なくとも１つの第１のＤＣＩ形式をモニタリングするための手段と、
搬送波間シグナリングを用いての前記ＵＥによる複数の搬送波での通信に関連する再設定メッセージを前記ＵＥにおいて受信するための手段と、
前記再設定メッセージに基づいて前記ＵＥにおいて前記第１の搬送波でモニタリングすべき少なくとも１つの第２のＤＣＩ形式を決定するための手段と、
前記ＵＥに送信されたＤＣＩを検出するために前記再設定メッセージを受信後に前記第１の搬送波で前記少なくとも１つの第１のＤＣＩ形式及び前記少なくとも１つの第２のＤＣＩ形式をモニタリングするための手段と、を備える、無線通信のための装置。
［Ｃ２４］
前記再設定メッセージを受信後に前記複数の搬送波の部分組で前記少なくとも１つの第１のＤＣＩ形式及び前記少なくとも１つの第２のＤＣＩ形式をモニタリングするための手段であって、前記複数の搬送波の前記部分組は、前記第１の搬送波を含む手段と、
前記再設定メッセージを受信後に前記複数の搬送波のうちの残りのそれらで少なくとも１つの第２のＤＣＩ形式をモニタリングし、しかしながら前記少なくとも１つの第１のＤＣＩ形式はモニタリングしないための手段と、をさらに備えるＣ２３に記載の装置。
［Ｃ２５］
前記少なくとも１つの第１のＤＣＩ形式及び前記少なくとも１つの第２のＤＣＩ形式をモニタリングするための前記手段は、前記第１の搬送波で前記ＵＥのための個々のＵＥごとの探索スペースにおいて前記少なくとも１つの第２のＤＣＩ形式をモニタリングし、しかしながら共通の探索スペースでは前記少なくとも１つの第２のＤＣＩ形式をモニタリングしないための手段を備えるＣ２３に記載の装置。
［Ｃ２６］
前記少なくとも１つの第１のＤＣＩ形式及び前記少なくとも１つの第２のＤＣＩ形式をモニタリングするための前記手段は、
前記第１の搬送波で前記ＵＥのための物理ダウンリンク制御チャネル（ＰＤＣＣＨ）候補の第１の組を決定するための手段と、
前記第１の搬送波で前記ＵＥのためのＰＤＣＣＨ候補の第２の組を決定するための手段と、
前記少なくとも１つの第１のＤＣＩ形式のためのＰＤＣＣＨ候補の前記第１の組を復号し、しかしながら前記少なくとも１つの第２のＤＣＩ形式のためのＰＤＣＣＨ候補の前記第１の組は復号しないための手段と、
前記少なくとも１つの第１のＤＣＩ形式及び前記少なくとも１つの第２のＤＣＩ形式のためのＰＤＣＣＨ候補の前記第２の組を復号するための手段と、を備えるＣ２３に記載の装置。
［Ｃ２７］
ユーザ装置（ＵＥ）において第１の搬送波でモニタリングすべき少なくとも１つの第１のダウンリンク制御情報（ＤＣＩ）形式を決定し、
前記ＵＥに送信されたＤＣＩを検出するために前記第１の搬送波で前記少なくとも１つの第１のＤＣＩ形式をモニタリングし、
搬送波間シグナリングを用いての前記ＵＥによる複数の搬送波での通信に関連する再設定メッセージを前記ＵＥにおいて受信し、
前記再設定メッセージに基づいて前記ＵＥにおいて前記第１の搬送波でモニタリングすべき少なくとも１つの第２のＤＣＩ形式を決定し、及び
前記ＵＥに送信されたＤＣＩを検出するために前記再設定メッセージを受信後に前記第１の搬送波で前記少なくとも１つの第１のＤＣＩ形式及び前記少なくとも１つの第２のＤＣＩ形式をモニタリングするように構成された少なくとも１つのプロセッサと、
前記少なくとも１つのプロセッサに結合されたメモリと、を備える、無線通信のための装置。
［Ｃ２８］
前記少なくとも１つのプロセッサは、前記再設定メッセージを受信後に前記複数の搬送波の部分組で前記少なくとも１つの第１のＤＣＩ形式及び前記少なくとも１つの第２のＤＣＩ形式をモニタリングし、及び前記再設定メッセージを受信後に前記複数の搬送波のうちの残りのそれらで少なくとも１つの第２のＤＣＩ形式をモニタリングし、しかしながら前記少なくとも１つの第１のＤＣＩ形式はモニタリングしないように構成され、前記複数の搬送波の前記部分組は、前記第１の搬送波を含むＣ２７に記載の装置。
［Ｃ２９］
前記少なくとも１つのプロセッサは、前記第１の搬送波で前記ＵＥのために個々のＵＥごとの探索スペースにおいて前記少なくとも１つの第２のＤＣＩ形式をモニタリングし、しかしながら共通の探索スペースにおいては前記少なくとも１つの第２のＤＣＩ形式をモニタリングしないように構成されるＣ２７に記載の装置。
［Ｃ３０］
前記少なくとも１つのプロセッサは、前記第１の搬送波で前記ＵＥのための物理ダウンリンク制御チャネル（ＰＤＣＣＨ）候補の第１の組を決定し、前記第１の搬送波で前記ＵＥのためのＰＤＣＣＨ候補の第２の組を決定し、前記少なくとも１つの第１のＤＣＩ形式のためのＰＤＣＣＨ候補の前記第１の組を復号し、しかしながら前記少なくとも１つの第２のＤＣＩ形式のためのＰＤＣＣＨ候補の前記第１の組は復号せず、及び前記少なくとも１つの第１のＤＣＩ形式及び前記少なくとも１つの第２のＤＣＩ形式のためのＰＤＣＣＨ候補の前記第２の組を復号するように構成されるＣ２７に記載の装置。
［Ｃ３１］
ユーザ装置（ＵＥ）において第１の搬送波でモニタリングすべき少なくとも１つの第１のダウンリンク制御情報（ＤＣＩ）形式を決定することを少なくとも１つのコンピュータに行わせるためのコードと、
前記ＵＥに送信されたＤＣＩを検出するために前記第１の搬送波で前記少なくとも１つの第１のＤＣＩ形式をモニタリングすることを前記少なくとも１つのコンピュータに行わせるためのコードと、
搬送波間シグナリングを用いての前記ＵＥによる複数の搬送波での通信に関連する再設定メッセージを前記ＵＥにおいて受信することを前記少なくとも１つのコンピュータに行わせるためのコードと、
前記再設定メッセージに基づいて前記ＵＥにおいて前記第１の搬送波でモニタリングすべき少なくとも１つの第２のＤＣＩ形式を決定することを前記少なくとも１つのコンピュータに行わせるためのコードと、
前記ＵＥに送信されたＤＣＩを検出するために前記再設定メッセージを受信後に前記第１の搬送波で前記少なくとも１つの第１のＤＣＩ形式および前記少なくとも１つの第２のＤＣＩ形式をモニタリングすることを前記少なくとも１つのコンピュータに行わせるためのコードと、を備える非一時的なコンピュータによって読み取り可能な媒体、を備える、コンピュータプログラム製品。
［Ｃ３２］
第１の搬送波でユーザ装置（ＵＥ）によってモニタリングされた少なくとも１つの第１のダウンリンク制御情報（ＤＣＩ）形式を決定することと、
前記少なくとも１つの第１のＤＣＩ形式に基づいて前記ＵＥに前記第１の搬送波でＤＣＩを送信することと、
搬送波間シグナリングを用いての前記ＵＥによる複数の搬送波での通信に関連する再設定メッセージを前記ＵＥに送信することと、
前記再設定メッセージに応答して前記第１の搬送波で前記ＵＥによってモニタリングされた少なくとも１つの第２のＤＣＩ形式を決定することと、
前記再設定メッセージを送信後に前記少なくとも１つの第１のＤＣＩ形式及び前記少なくとも１つの第２のＤＣＩ形式に基づいて前記ＵＥに前記第１の搬送波でＤＣＩを送信することと、を備える、無線通信方法。
［Ｃ３３］
前記再設定メッセージを送信前に前記第１の搬送波で前記ＵＥによってモニタリングされた第３のＤＣＩ形式を決定することであって、前記第３のＤＣＩ形式は、前記第１の搬送波での前記ＵＥの送信モードと関連付けられることと、
前記再設定メッセージを送信前にさらに前記第３のＤＣＩ形式に基づいて前記ＵＥに前記第１の搬送波でＤＣＩを送信することと、
前記再設定メッセージを送信後に前記第１の搬送波で前記ＵＥによってモニタリングされた第４のＤＣＩ形式を決定することであって、前記第４のＤＣＩ形式は、前記第１の搬送波での前記ＵＥの前記送信モードと関連付けられることと、
前記再設定メッセージを送信後に前記第４のＤＣＩ形式にさらに基づき、しかしながら前記第３のＤＣＩ形式には基づかずに前記ＵＥに前記第１の搬送波でＤＣＩを送信することと、をさらに備えるＣ３２に記載の方法。
［Ｃ３４］
前記再設定メッセージを送信後に前記少なくとも１つの第２のＤＣＩ形式に基づき、しかしながら前記少なくとも１つの第１のＤＣＩ形式には基づかずに第２の搬送波で前記ＵＥにＤＣＩを送信することをさらに備えるＣ３２に記載の方法。
［Ｃ３５］
前記再設定メッセージを送信後に前記複数の搬送波の部分組で前記少なくとも１つの第１のＤＣＩ形式及び前記少なくとも１つの第２のＤＣＩ形式に基づいて前記ＵＥにＤＣＩを送信することと、
前記再設定メッセージを送信後に前記複数の搬送波のうちの残りのそれらで前記少なくとも１つの第２のＤＣＩ形式に基づき、しかしながら前記少なくとも１つの第１のＤＣＩ形式には基づかずに前記ＵＥにＤＣＩを送信することと、をさらに備えるＣ３２に記載の方法。
［Ｃ３６］
前記少なくとも１つの第１のＤＣＩ形式及び前記少なくとも１つの第２のＤＣＩ形式に基づいて前記ＵＥに前記第１の搬送波でＤＣＩを前記送信することは、前記第１の搬送波で個々のＵＥごとの探索スペースにおいて前記少なくとも１つの第２のＤＣＩ形式に基づいて前記ＵＥにＤＣＩを送信し、しかしながら共通の探索スペースにおいては前記少なくとも１つの第２のＤＣＩ形式に基づいて前記ＵＥにＤＣＩを送信しないことを備えるＣ３２に記載の方法。
［Ｃ３７］
前記少なくとも１つの第１のＤＣＩ形式及び前記少なくとも１つの第２のＤＣＩ形式に基づいて前記ＵＥに前記第１の搬送波でＤＣＩを前記送信することは、
前記第１の搬送波で前記ＵＥのための物理ダウンリンク制御チャネル（ＰＤＣＣＨ）候補の第１の組において前記少なくとも１つの第１のＤＣＩ形式に基づき、しかしながら前記少なくとも１つの第２のＤＣＩ形式には基づかずにＤＣＩを送信することと、
前記第１の搬送波で前記ＵＥのためのＰＤＣＣＨ候補の第２の部分組において前記少なくとも１つの第１のＤＣＩ形式及び前記少なくとも１つの第２のＤＣＩ形式に基づいてＤＣＩを送信することと、を備えるＣ３２に記載の方法。
［Ｃ３８］
ＰＤＣＣＨ候補の前記第１の組は、前記第１の搬送波での共通の探索スペースを対象とし、ＰＤＣＣＨ候補の前記第２の組は、前記第１の搬送波での前記ＵＥのための個々のＵＥごとの探索スペースを対象とするＣ３７に記載の方法。
［Ｃ３９］
ＰＤＣＣＨ候補の前記第１及び第２の組は、前記第１の搬送波での前記ＵＥのための探索スペースの異なる部分に対応するＣ３７に記載の方法。
［Ｃ４０］
ＰＤＣＣＨ候補の前記第１及び第２の組は、前記第１の搬送波での前記ＵＥのための探索スペースに関するアグリゲーションレベルの異なる部分に対応するＣ３７に記載の方法。
［Ｃ４１］
前記再設定メッセージを送信前に前記ＵＥに単一搬送波でデータを送信することと、
前記再設定メッセージを送信後に前記ＵＥに搬送波間シグナリングを用いて前記複数の搬送波でデータを送信することと、をさらに備えるＣ３２に記載の方法。
［Ｃ４２］
前記再設定メッセージを送信前に前記ＵＥに搬送波間シグナリングを用いないで前記複数の搬送波でデータを送信することと、
前記再設定メッセージを送信後に前記ＵＥに搬送波間シグナリングを用いて前記複数の搬送波でデータを送信することと、をさらに備えるＣ３２に記載の方法。
［Ｃ４３］
前記少なくとも１つの第１のＤＣＩ形式は、ダウンリンク許可のためのＤＣＩ形式１Ａ、又はアップリンク許可のためのＤＣＩ形式０、又は両方を含むＣ３２に記載の方法。
［Ｃ４４］
前記少なくとも１つの第２のＤＣＩ形式は、ＤＣＩ形式１Ａと搬送波間指示フィールド（ＣＩＦ）とを備えるＤＣＩ形式１Ａ’、又はＤＣＩ形式０とＣＩＦとを備えるＤＣＩ形式０’、又は両方を含むＣ４３記載の方法。
［Ｃ４５］
前記少なくとも１つの第１のＤＣＩ形式のうちの１つに基づいて前記ＵＥへのデータ送信のための第１の許可を生成することと、
前記少なくとも１つの第２のＤＣＩ形式のうちの１つに基づいて前記ＵＥへの前記データ送信のための第２の許可を生成することと、
前記ＵＥに前記第１及び第２の許可を送信することと、をさらに備えるＣ３２に記載の方法。
［Ｃ４６］
第１の搬送波でユーザ装置（ＵＥ）によってモニタリングされた少なくとも１つの第１のダウンリンク制御情報（ＤＣＩ）形式を決定するための手段と、
前記少なくとも１つの第１のＤＣＩ形式に基づいて前記ＵＥに前記第１の搬送波でＤＣＩを送信するための手段と、
搬送波間シグナリングを用いての前記ＵＥによる複数の搬送波での通信に関連する再設定メッセージを前記ＵＥに送信するための手段と、
前記再設定メッセージに応答して前記第１の搬送波で前記ＵＥによってモニタリングされた少なくとも１つの第２のＤＣＩ形式を決定するための手段と、
前記再設定メッセージを送信後に前記少なくとも１つの第１のＤＣＩ形式及び前記少なくとも１つの第２のＤＣＩ形式に基づいて前記ＵＥに前記第１の搬送波でＤＣＩを送信するための手段と、を備える、無線通信のための装置。
［Ｃ４７］
前記再設定メッセージを送信後に前記複数の搬送波の部分組で前記少なくとも１つの第１のＤＣＩ形式及び前記少なくとも１つの第２のＤＣＩ形式に基づいて前記ＵＥにＤＣＩを送信するための手段と、
前記再設定メッセージを送信後に前記複数の搬送波のうちの残りのそれらで前記少なくとも１つの第２のＤＣＩ形式に基づき、しかしながら前記少なくとも１つの第１のＤＣＩ形式には基づかずに前記ＵＥにＤＣＩを送信するための手段と、をさらに備えるＣ４６に記載の装置。
［Ｃ４８］
前記少なくとも１つの第１のＤＣＩ形式及び前記少なくとも１つの第２のＤＣＩ形式に基づいて前記ＵＥに前記第１の搬送波でＤＣＩを送信するための前記手段は、前記第１の搬送波で個々のＵＥごとの探索スペースにおいて前記少なくとも１つの第２のＤＣＩ形式に基づいて前記ＵＥにＤＣＩを送信し、しかしながら共通の探索スペースにおいては前記少なくとも１つの第２のＤＣＩ形式に基づいて前記ＵＥにＤＣＩを送信しないための手段を備えるＣ４６に記載の装置。
［Ｃ４９］
前記少なくとも１つの第１のＤＣＩ形式及び前記少なくとも１つの第２のＤＣＩ形式に基づいて前記ＵＥに前記第１の搬送波でＤＣＩを送信するための前記手段は、
前記第１の搬送波で前記ＵＥのための物理ダウンリンク制御チャネル（ＰＤＣＣＨ）候補の第１の組で前記少なくとも１つの第１のＤＣＩ形式に基づき、しかしながら前記少なくとも１つの第２のＤＣＩ形式には基づかずにＤＣＩを送信するための手段と、
前記第１の搬送波で前記ＵＥのためのＰＤＣＣＨ候補の第２の組で前記少なくとも１つの第１のＤＣＩ形式及び前記少なくとも１つの第２のＤＣＩ形式に基づいてＤＣＩを送信するための手段と、を備えるＣ４６に記載の装置。
［Ｃ５０］
第１の搬送波でユーザ装置（ＵＥ）によってモニタリングされた少なくとも１つのダウンリンク制御情報（ＤＣＩ）形式を決定し、
前記少なくとも１つの第１のＤＣＩ形式に基づいて前記ＵＥに前記第１の搬送波でＤＣＩを送信し、
搬送波間シグナリングを用いての前記ＵＥによる複数の搬送波での通信に関連する再設定メッセージを前記ＵＥに送信し、
前記再設定メッセージに応答して前記第１の搬送波で前記ＵＥによってモニタリングされた少なくとも１つの第２のＤＣＩ形式を決定し、及び
前記再設定メッセージを送信後に前記少なくとも１つの第１のＤＣＩ形式及び前記少なくとも１つの第２のＤＣＩ形式に基づいて前記ＵＥに前記第１の搬送波でＤＣＩを送信するように構成された少なくとも１つのプロセッサと、
前記少なくとも１つのプロセッサに結合されたメモリと、を備える、無線通信のための装置。
［Ｃ５１］
第１の搬送波でユーザ装置（ＵＥ）によってモニタリングされた少なくとも１つの第１のダウンリンク制御情報（ＤＣＩ）形式を決定することを少なくとも１つのコンピュータに行わせるためのコードと、
前記少なくとも１つのＤＣＩ形式に基づいて前記ＵＥに前記第１の搬送波でＤＣＩを送信することを前記少なくとも１つのコンピュータに行わせるためのコードと、
搬送波間シグナリングを用いての前記ＵＥによる複数の搬送波での通信に関連する再設定メッセージを前記ＵＥに送信することを前記少なくとも１つのコンピュータに行わせるためのコードと、
前記再設定メッセージに応答して前記第１の搬送波で前記ＵＥによってモニタリングされた少なくとも１つの第２のＤＣＩ形式を決定することを前記少なくとも１つのコンピュータに行わせるためのコードと、
前記再設定メッセージを送信後に前記少なくとも１つの第１のＤＣＩ形式及び前記少なくとも１つの第２のＤＣＩ形式に基づいて前記ＵＥに前記第１の搬送波でＤＣＩを送信することを前記少なくとも１つのコンピュータに行わせるためのコードと、を備える非一時的なコンピュータによって読み取り可能な媒体、を備える、コンピュータプログラム製品。
【図１】
0005591950.tif 000007
【図２】
0005591950.tif 000008
【図３Ａ】
0005591950.tif 000009
【図３Ｂ】
0005591950.tif 000010
【図３Ｃ】
0005591950.tif 000011
【図４】
0005591950.tif 000012
【図５Ａ】
0005591950.tif 000013
【図５Ｂ】
0005591950.tif 000014
【図６】
0005591950.tif 000015
【図７】
0005591950.tif 000016
【図８】
0005591950.tif 000017
【図９】
0005591950.tif 000018
【図１０】
0005591950.tif 000019
【図１１】
0005591950.tif 000020
【図１２】
0005591950.tif 000021
【図１３】
0005591950.tif 000022